(57)【要約】  通信制御方法および関連するネットワーク要素が提供される。通信制御方法は、第1の基地局を介してネットワークにアクセスするユーザ端末に関連する制御要求を受信し、制御要求に基づいて、ユーザ端末にサービスを提供する第1のサービスネットワーク要素を判定する、ステップと、ユーザ端末に転送サービスを提供する第1の転送プレーンネットワーク要素を判定するステップと、ユーザ端末のサービスパケットを送信するために、第1のサービスネットワーク要素と第1の転送プレーンネットワーク要素との間にサービスパケット転送経路を確立するステップと、を含む。本発明の実施形態における技術的解決策は、エンドツーエンドのサービスパケットルーティングメカニズムを提供する。
2019521588.tif 000002
【特許請求の範囲】
【請求項１】
制御プレーンネットワーク要素によって、第1の基地局を介してネットワークにアクセスするユーザ端末に関連する制御要求を受信し、前記制御要求に基づいて、前記ユーザ端末にサービスを提供する第1のサービスネットワーク要素を判定する、ステップと、
前記制御プレーンネットワーク要素によって、前記ユーザ端末に転送サービスを提供する第1の転送プレーンネットワーク要素を判定するステップと、
前記制御プレーンネットワーク要素によって、前記ユーザ端末のサービスパケットを送信するために、前記第1のサービスネットワーク要素と前記第1の転送プレーンネットワーク要素との間にサービスパケット転送経路を確立するステップと、
を含む、通信制御方法。
【請求項２】
前記第1のサービスネットワーク要素は、前記ユーザ端末にサービスを提供する第1のサーバまたは第1のサーバのサービスアクセスネットワーク要素である、請求項1に記載の方法。
【請求項３】
前記制御要求は、アクセス要求またはサービス要求である、請求項1または2に記載の方法。
【請求項４】
前記サービスパケット転送経路は、サービスフロー識別子に対応する転送トンネルまたはサービスフロー識別子に対応する転送ポリシーを含む、請求項1から3のいずれか一項に記載の方法。
【請求項５】
前記制御プレーンネットワーク要素によって、前記第1のサービスネットワーク要素と前記第1の転送プレーンネットワーク要素との間に前記サービスフロー識別子に対応する前記転送トンネルを確立するステップは、
前記制御プレーンネットワーク要素によって、前記第1のサービスネットワーク要素に第1のセッション確立要求を送信するステップであって、前記第1のセッション確立要求が、前記第1の転送プレーンネットワーク要素のIPを運ぶ、ステップと、
前記制御プレーンネットワーク要素によって、前記第1の転送プレーンネットワーク要素に第2のセッション確立要求を送信するステップであって、前記第2のセッション確立要求が、前記第1のサービスネットワーク要素のIPを運ぶ、ステップと、
を含む、請求項4に記載の方法。
【請求項６】
前記第1のセッション確立要求は前記サービスフロー識別子をさらに運ぶ、および／または前記第2のセッション確立要求は前記サービスフロー識別子をさらに運ぶ、請求項5に記載の方法。
【請求項７】
前記制御プレーンネットワーク要素によって、前記第1のサービスネットワーク要素と前記第1の転送プレーンネットワーク要素との間に前記サービスフロー識別子に対応する前記転送ポリシーを確立するステップは、
前記制御プレーンネットワーク要素によって前記第1のサービスネットワーク要素に、前記サービスフロー識別子を運ぶ前記転送ポリシーを配信するステップであって、その結果、前記第1のサービスネットワーク要素が、前記転送ポリシーに基づいて、前記サービスフロー識別子に対応する前記サービスパケットを転送する、ステップ、および／または
前記制御プレーンネットワーク要素によって、前記第1の転送プレーンネットワーク要素に、前記サービスフロー識別子を運ぶ前記転送ポリシーを配信するステップであって、その結果、前記第1の転送プレーンネットワーク要素が、前記転送ポリシーに基づいて、前記サービスフロー識別子に対応する前記サービスパケットを転送する、ステップ
を含む、請求項4に記載の方法。
【請求項８】
前記サービスフロー識別子は、前記ユーザ端末のIP、前記ユーザ端末のポート番号、前記サーバのIP、または前記サーバのポート番号のうちの少なくとも1つである、請求項4から7のいずれか一項に記載の方法。
【請求項９】
前記制御プレーンネットワーク要素によって、前記第1のサービスネットワーク要素と前記第1の転送プレーンネットワーク要素との間に前記サービスフロー識別子に対応する前記転送トンネルを確立するステップの前に、前記方法は、
前記制御プレーンネットワーク要素によって、管理システムに識別要求を送信するステップであって、その結果、前記管理システムが、前記第1の転送プレーンネットワーク要素のIPを運ぶ識別応答メッセージを返す、ステップと、
前記管理システムによって送信された前記識別応答メッセージを受信した場合、前記制御プレーンネットワーク要素によって、前記識別応答メッセージから前記第1の転送プレーンネットワーク要素の前記IPを取得するステップと、
をさらに含む、請求項4に記載の方法。
【請求項１０】
前記制御プレーンネットワーク要素によって、前記第1のサービスネットワーク要素と前記第1の転送プレーンネットワーク要素との間に前記サービスフロー識別子に対応する前記転送トンネルを確立するステップの前に、前記方法は、
前記制御プレーンネットワーク要素によって、管理システムに識別要求を送信するステップであって、その結果、前記管理システムが、前記第1のサービスネットワーク要素のIPを運ぶ識別応答メッセージを返す、ステップと、
前記管理システムによって送信された前記識別応答メッセージを受信した場合、前記制御プレーンネットワーク要素によって、前記識別応答メッセージから前記第1のサービスネットワーク要素の前記IPを取得するステップと、
をさらに含む、請求項4に記載の方法。
【請求項１１】
前記識別要求は、サービスタイプを運ぶ、または前記ユーザ端末の現在の位置情報およびサービスタイプを運び、前記第1の転送プレーンネットワーク要素および／または前記第1のサービスネットワーク要素は、前記識別要求に基づいて前記管理システムによって構成される、請求項8または9に記載の方法。
【請求項１２】
前記制御要求は、前記ユーザ端末の現在の位置情報を運び、
前記制御プレーンネットワーク要素によって、前記制御要求に基づいて、前記ユーザ端末にサービスを提供する第1のサービスネットワーク要素を判定する前記ステップは、
前記制御プレーンネットワーク要素によって、前記ユーザ端末の前記現在の位置情報および事前構成情報に基づいて、前記第1のサービスネットワーク要素を判定し、前記第1のサービスネットワーク要素のIPを取得する、ステップ
を含む、請求項1に記載の方法。
【請求項１３】
前記制御要求は、前記ユーザ端末の現在の位置情報を運び、
前記制御プレーンネットワーク要素によって、前記ユーザ端末に転送サービスを提供する第1の転送プレーンネットワーク要素を判定する前記ステップは、
前記制御プレーンネットワーク要素によって、前記ユーザ端末の前記現在の位置情報および事前構成情報に基づいて、前記第1の転送プレーンネットワーク要素を判定し、前記第1の転送プレーンネットワーク要素のIPを取得する、ステップ
を含む、請求項1に記載の方法。
【請求項１４】
前記制御プレーンネットワーク要素によって、前記第1のサービスネットワーク要素と前記第1の転送プレーンネットワーク要素との間にサービスパケット転送経路を確立する前記ステップの後、前記方法は、
前記ユーザ端末が前記第1の基地局から第2の基地局へハンドオーバされた場合、前記制御プレーンネットワーク要素によって、前記ユーザ端末のハンドオーバ通知を受信するステップと、
前記制御プレーンネットワーク要素によって、前記ハンドオーバ通知に基づいて、前記ユーザ端末のサービスパケットを送信するために、前記第2のサービスネットワーク要素と前記第2の転送プレーンネットワーク要素との間に新しいサービスパケット転送経路を確立するステップであって、前記第2のサービスネットワーク要素は、第2のサーバまたは第2のサーバのサービスアクセスネットワーク要素である、ステップと、
をさらに含む、請求項1から13のいずれか一項に記載の方法。
【請求項１５】
前記制御プレーンネットワーク要素によって、前記ユーザ端末のハンドオーバ通知を受信する前記ステップの後、前記方法は、
前記制御プレーンネットワーク要素によって、前記第1のサーバにコンテキスト転送要求を送信するステップであって、その結果、前記第1のサーバが、前記ユーザ端末に関連するサービスコンテキスト情報を前記第2のサーバに転送する、ステップ、または
前記制御プレーンネットワーク要素によって、前記管理システムを介して前記第1のサーバにコンテキスト転送要求を送信するステップであって、その結果、前記第1のサーバが、前記ユーザ端末に関連するサービスコンテキスト情報を前記第2のサーバに転送する、ステップ
をさらに含む、請求項14に記載の方法。
【請求項１６】
前記制御プレーンネットワーク要素によって、コンテキスト転送要求を前記第1のサーバに送信する前記ステップの後、前記方法は、
前記第1のサーバによって送信されたコンテキスト転送確認応答メッセージを受信した場合、前記制御プレーンネットワーク要素によって、前記第1の転送プレーンネットワーク要素にセッション削除要求メッセージを送信するステップであって、その結果、前記第1の転送プレーンネットワーク要素が、前記セッション削除要求に基づいて、前記ユーザ端末に関連する前記サービスコンテキスト情報を削除する、ステップ
をさらに含む、請求項15に記載の方法。
【請求項１７】
制御プレーンネットワーク要素を介して、第1のサービスネットワーク要素によって、前記第1のサービスネットワーク要素と前記ユーザ端末に転送サービスを提供する第1の転送プレーンネットワーク要素との間にサービスパケット転送経路を確立するステップと、
前記第1のサービスネットワーク要素によって、前記サービスパケット転送経路を介して前記ユーザ端末のサービスパケットを送信するステップと、
を含み、
前記第1の転送プレーンネットワーク要素は、前記ユーザ端末に関連する受信された制御要求に基づいて、前記制御プレーンネットワーク要素によって判定される、通信制御方法。
【請求項１８】
前記第1のサービスネットワーク要素は、前記ユーザ端末にサービスを提供する第1のサーバまたは第1のサーバのサービスアクセスネットワーク要素である、請求項17に記載の方法。
【請求項１９】
前記サービスパケット転送経路は、サービスフロー識別子に対応する転送トンネルまたはサービスフロー識別子に対応する転送ポリシーを含む、請求項17または18に記載の方法。
【請求項２０】
前記第1のサービスネットワーク要素によって、前記第1のサービスネットワーク要素と前記ユーザ端末に前記転送サービスを提供する前記第1の転送プレーンネットワーク要素との間に前記サービスパケット転送トンネルを確立するステップは、
前記第1のサービスネットワーク要素によって、前記制御プレーンネットワーク要素によって送信された第1のセッション確立要求を受信し、前記第1のサービスネットワーク要素と前記ユーザ端末に前記転送サービスを提供する前記第1の転送プレーンネットワーク要素との間に前記サービスパケット転送トンネルを確立する、ステップであって、
前記第1のセッション確立要求は、前記第1の転送プレーンネットワーク要素のIPを運ぶ、ステップ
を含む、請求項19に記載の方法。
【請求項２１】
前記第1のセッション確立要求が前記サービスフロー識別子を運び、前記第1のサービスネットワーク要素によって、前記第1のサービスネットワーク要素と前記ユーザ端末に前記転送サービスを提供する前記第1の転送プレーンネットワーク要素との間の前記サービスフロー識別子に対応する前記転送トンネルを確立するステップの後、前記方法は、
前記サービスフロー識別子に対応する前記転送トンネルを介して、前記第1のサービスネットワーク要素によって、前記サービスフロー識別子に対応する前記サービスパケットを転送するステップ
をさらに含む、請求項20に記載の方法。
【請求項２２】
前記制御プレーンネットワーク要素を介して、前記第1のサービスネットワーク要素によって、前記第1のサービスネットワーク要素と前記ユーザ端末に前記転送サービスを提供する前記第1の転送プレーンネットワーク要素との間に前記サービスフロー識別子に対応する前記転送ポリシーを確立するステップは、
前記第1のサービスネットワーク要素によって、前記サービスフロー識別子を運び、前記制御プレーンネットワーク要素によって配信される前記転送ポリシーを受信するステップと、
前記第1のサービスネットワーク要素によって、前記転送ポリシーに基づいて、前記サービスフロー識別子に対応する前記サービスパケットを転送するステップと、
を含む、請求項19に記載の方法。
【請求項２３】
第1のサービスネットワーク要素によって、前記第1のサービスネットワーク要素と前記ユーザ端末に転送サービスを提供する第1の転送プレーンネットワーク要素との間にサービスパケット転送経路を確立する前記ステップの後、前記方法は、
前記第1のサーバによって、前記制御プレーンネットワーク要素または管理システムを介して前記制御プレーンネットワーク要素が送信したコンテキスト転送要求を受信するステップと、
前記第1のサーバによって、前記ユーザ端末に関連するサービスコンテキスト情報を第2のサーバに転送するステップと、
をさらに含む、請求項18に記載の方法。
【請求項２４】
前記第1のサーバによって、前記制御プレーンネットワーク要素または管理システムを介して前記制御プレーンネットワーク要素が送信したコンテキスト転送要求を受信する前記ステップの後、前記方法は、
前記第1のサーバによって、コンテキスト転送確認応答メッセージを前記制御プレーンネットワーク要素に送信するステップであって、その結果、前記制御プレーンネットワーク要素が、セッション削除要求メッセージを前記第1の転送プレーンネットワーク要素に送信し、前記第1の転送プレーンネットワーク要素が、前記セッション削除要求に基づいて、前記ユーザ端末に関連する前記サービスコンテキスト情報を削除する、ステップ
をさらに含む、請求項23に記載の方法。
【請求項２５】
前記方法は、
前記第1のサービスネットワーク要素によって、前記サービスフロー識別子と前記転送経路との間に対応関係を確立するステップ
をさらに含み、
前記第1のサービスネットワーク要素によって、前記サービスパケット転送経路を介して前記ユーザ端末のサービスパケットを送信するステップは、
前記第1のサービスネットワーク要素によって、前記サービスフロー識別子を運ぶ前記サービスパケットを受信するステップと、
前記第1のサービスネットワーク要素によって、前記サービスフロー識別子と前記転送経路との間の前記対応関係に基づいて、前記サービスフロー識別子に対応する前記転送経路を判定するステップと、
前記第1のサービスネットワーク要素によって、前記サービスフロー識別子に対応する前記転送経路を介して前記サービスパケットを転送するステップと、
を含む、請求項19、21、および22のいずれか一項に記載の方法。
【請求項２６】
制御プレーンネットワーク要素を介して、第1の転送プレーンネットワーク要素によって、前記第1の転送プレーンネットワーク要素と前記ユーザ端末にサービスを提供する第1のサービスネットワーク要素との間にサービスパケット転送経路を確立するステップと、
前記第1の転送プレーンネットワーク要素によって、前記サービス転送経路を介して前記ユーザ端末のサービスパケットを送信するステップであって、前記第1の転送プレーンネットワーク要素は、前記ユーザ端末に関連する受信された制御要求に基づいて、前記制御プレーンネットワーク要素によって判定される、ステップと、
を含む、通信制御方法。
【請求項２７】
前記サービスパケット転送経路は、サービスフロー識別子に対応する転送トンネルまたはサービスフロー識別子に対応する転送ポリシーを含む、請求項26に記載の方法。
【請求項２８】
前記制御プレーンネットワーク要素を介して、前記第1の転送プレーンネットワーク要素によって、前記第1の転送プレーンネットワーク要素と前記ユーザ端末に前記サービスを提供する前記第1のサービスネットワーク要素との間に前記サービスフロー識別子に対応する前記転送トンネルを確立するステップは、
前記第1の転送プレーンネットワーク要素によって、前記制御プレーンネットワーク要素によって送信された第2のセッション確立要求を受信し、前記第1の転送プレーンネットワーク要素と前記ユーザ端末に前記サービスを提供する前記第1のサービスネットワーク要素との間に前記サービスフロー識別子に対応する前記転送トンネルを確立する、ステップであって、
前記第2のセッション確立要求は、前記第1のサービスネットワーク要素のIPを運ぶ、ステップ
を含む、請求項27に記載の方法。
【請求項２９】
前記第2のセッション確立要求が前記サービスフロー識別子をさらに運び、前記第1の転送プレーンネットワーク要素によって、前記制御プレーンネットワーク要素によって送信された第2のセッション確立要求を受信する前記ステップの後、前記方法は、
前記サービスフロー識別子に対応する前記転送トンネルを介して、前記第1の転送プレーンネットワーク要素によって、前記サービスフロー識別子に対応する前記サービスパケットを転送するステップ
をさらに含む、請求項28に記載の方法。
【請求項３０】
前記制御プレーンネットワーク要素を介して、前記第1の転送プレーンネットワーク要素によって、前記第1の転送プレーンネットワーク要素と前記ユーザ端末に前記サービスを提供する前記第1のサービスネットワーク要素との間に前記サービスフロー識別子に対応する前記転送ポリシーを確立する前記ステップは、
前記第1の転送プレーンネットワーク要素によって、前記サービスフロー識別子を運び、前記制御プレーンネットワーク要素によって配信される前記転送ポリシーを受信するステップと、
前記第1の転送プレーンネットワーク要素によって、前記転送ポリシーに基づいて、前記サービスフロー識別子に対応する前記サービスパケットを転送するステップと、
を含む、請求項27に記載の方法。
【請求項３１】
前記方法は、
前記第1の転送プレーンネットワーク要素によって、前記サービスフロー識別子と前記転送経路との間に対応関係を確立するステップ
をさらに含み、
前記第1の転送プレーンネットワーク要素によって、前記サービスパケット転送経路を介して前記ユーザ端末のサービスパケットを送信するステップは、
前記第1の転送プレーンネットワーク要素によって、前記サービスフロー識別子を運ぶ前記サービスパケットを受信するステップと、
前記第1の転送プレーンネットワーク要素によって、前記サービスフロー識別子と前記サービスフロー識別子に対応する前記転送経路との間の前記対応関係に基づいて、前記サービスフロー識別子に対応する前記転送経路を判定するステップと、
前記第1の転送プレーンネットワーク要素によって、前記サービスフロー識別子に対応する前記転送経路を介して前記サービスパケットを転送するステップと、
を含む、請求項27、29、および30のいずれか一項に記載の方法。
【請求項３２】
第1の基地局を介してネットワークにアクセスするユーザ端末に関連する制御要求を受信するように構成される受信ユニットと、
前記制御要求に基づいて、前記ユーザ端末にサービスを提供する第1のサービスネットワーク要素を判定するように構成される判定ユニットであって、
前記判定ユニットは、前記ユーザ端末に転送サービスを提供する第1の転送プレーンネットワーク要素を判定するようにさらに構成される、判定ユニットと、
前記ユーザ端末のサービスパケットを送信するために、前記第1のサービスネットワーク要素と前記第1の転送プレーンネットワーク要素との間にサービスパケット転送経路を確立するように構成される経路確立ユニットと、
を備える、制御プレーンネットワーク要素。
【請求項３３】
前記第1のサービスネットワーク要素は、前記ユーザ端末にサービスを提供する第1のサーバまたは第1のサーバのサービスアクセスネットワーク要素である、請求項32に記載の制御プレーンネットワーク要素。
【請求項３４】
前記制御要求は、アクセス要求またはサービス要求である、請求項32または33に記載の制御プレーンネットワーク要素。
【請求項３５】
前記サービスパケット転送経路は、サービスフロー識別子に対応する転送トンネルまたはサービスフロー識別子に対応する転送ポリシーを含む、請求項32から34のいずれか一項に記載の制御プレーンネットワーク要素。
【請求項３６】
前記経路確立ユニットは、
前記第1のサービスネットワーク要素に第1のセッション確立要求を送信し、前記第1のセッション確立要求が、前記第1の転送プレーンネットワーク要素のIPを運び、
前記第1の転送プレーンネットワーク要素に第2のセッション確立要求を送信し、前記第2のセッション確立要求が、前記第1のサービスネットワーク要素のIPを運ぶ、
ように構成される、請求項35に記載の制御プレーンネットワーク要素。
【請求項３７】
前記第1のセッション確立要求は前記サービスフロー識別子をさらに運ぶ、および／または前記第2のセッション確立要求は前記サービスフロー識別子をさらに運ぶ、請求項36に記載の制御プレーンネットワーク要素。
【請求項３８】
前記経路確立ユニットは、
前記第1のサービスネットワーク要素に、前記サービスフロー識別子を運ぶ前記転送ポリシーを配信し、その結果、前記第1のサービスネットワーク要素が、前記転送ポリシーに基づいて、前記サービスフロー識別子に対応する前記サービスパケットを転送する、および／または
前記第1の転送プレーンネットワーク要素に、前記サービスフロー識別子を運ぶ前記転送ポリシーを配信し、その結果、前記第1の転送プレーンネットワーク要素が、前記転送ポリシーに基づいて、前記サービスフロー識別子に対応する前記サービスパケットを転送する、
ように特に構成される、請求項35に記載の制御プレーンネットワーク要素。
【請求項３９】
前記サービスフロー識別子は、前記ユーザ端末のIP、前記ユーザ端末のポート番号、前記サーバのIP、または前記サーバのポート番号のうちの少なくとも1つである、請求項35から38のいずれか一項に記載の制御プレーンネットワーク要素。
【請求項４０】
前記制御プレーンネットワーク要素は、
管理システムに識別要求を送信し、その結果、前記管理システムが前記第1の転送プレーンネットワーク要素のIPを運ぶ識別応答メッセージを返す、ように構成される送信ユニットと、
前記管理システムによって送信された前記識別応答メッセージが受信された場合、前記識別応答メッセージから前記第1の転送プレーンネットワーク要素の前記IPを取得するように構成される取得ユニットと、
をさらに備える、請求項35に記載の制御プレーンネットワーク要素。
【請求項４１】
前記送信ユニットは、管理システムに識別要求を送信し、その結果、前記管理システムが前記第1のサービスネットワーク要素のIPを運ぶ識別応答メッセージを返す、ようにさらに構成され、
前記取得ユニットは、前記管理システムによって送信された前記識別応答メッセージが受信された場合、前記識別応答メッセージから前記第1のサービスネットワーク要素の前記IPを取得するようにさらに構成される、請求項35に記載の制御プレーンネットワーク要素。
【請求項４２】
前記識別要求は、サービスタイプを運ぶ、または前記ユーザ端末の現在の位置情報およびサービスタイプを運び、前記第1の転送プレーンネットワーク要素および／または前記第1のサービスネットワーク要素は、前記識別要求に基づいて前記管理システムによって構成される、請求項39または40に記載の制御プレーンネットワーク要素。
【請求項４３】
前記制御要求は、前記ユーザ端末の現在の位置情報を運び、
前記判定ユニットは、
前記ユーザ端末の前記現在の位置情報および事前構成情報に基づいて、前記第1のサービスネットワーク要素を判定し、前記第1のサービスネットワーク要素のIPを取得する
ように特に構成される、請求項32に記載の制御プレーンネットワーク要素。
【請求項４４】
前記制御要求は、前記ユーザ端末の現在の位置情報を運び、
前記制御プレーンネットワーク要素によって、前記ユーザ端末に転送サービスを提供する第1の転送プレーンネットワーク要素を判定する前記ステップは、
前記制御プレーンネットワーク要素によって、前記ユーザ端末の前記現在の位置情報および事前構成情報に基づいて、前記第1の転送プレーンネットワーク要素を判定し、前記第1の転送プレーンネットワーク要素のIPを取得する、ステップ
を含む、請求項32に記載の制御プレーンネットワーク要素。
【請求項４５】
前記受信ユニットは、前記ユーザ端末が前記第1の基地局から第2の基地局にハンドオーバされた場合、前記ユーザ端末のハンドオーバ通知を受信するようにさらに構成され、
前記経路確立ユニットは、前記ハンドオーバ通知に基づいて、前記ユーザ端末のサービスパケットを送信するために、前記第2のサービスネットワーク要素と前記第2の転送プレーンネットワーク要素との間に新しいサービスパケット転送経路を確立するようにさらに構成され、前記第2のサービスネットワーク要素は、第2のサーバまたは第2のサーバのサービスアクセスネットワーク要素である、請求項32から44のいずれか一項に記載の制御プレーンネットワーク要素。
【請求項４６】
前記送信ユニットは、前記第1のサーバにコンテキスト転送要求を送信し、その結果、前記第1のサーバが、前記ユーザ端末に関連するサービスコンテキスト情報を前記第2のサーバに転送する、ようにさらに構成される、または
前記送信ユニットは、前記管理システムを介して前記第1のサーバにコンテキスト転送要求を送信し、その結果、前記第1のサーバが、前記ユーザ端末に関連するサービスコンテキスト情報を前記第2のサーバに転送する、ようにさらに構成される、請求項45に記載の制御プレーンネットワーク要素。
【請求項４７】
前記送信ユニットは、
前記第1のサーバによって送信されたコンテキスト転送確認応答メッセージを受信した場合、前記第1の転送プレーンネットワーク要素にセッション削除要求メッセージを送信し、その結果、前記第1の転送プレーンネットワーク要素が、前記セッション削除要求に基づいて、前記ユーザ端末に関連する前記サービスコンテキスト情報を削除する、
ようにさらに構成される、請求項46に記載の制御プレーンネットワーク要素。
【請求項４８】
第1のサービスネットワーク要素であって、
前記第1のサービスネットワーク要素と前記ユーザ端末に転送サービスを提供する第1の転送プレーンネットワーク要素との間にサービスパケット転送経路を確立するように構成される経路確立ユニットと、
前記サービスパケット転送経路を介して前記ユーザ端末のサービスパケットを送信するように構成される送信ユニットと、
を備え、
前記第1の転送プレーンネットワーク要素は、前記ユーザ端末に関連する受信された制御要求に基づいて、制御プレーンネットワーク要素によって判定される、第1のサービスネットワーク要素。
【請求項４９】
前記第1のサービスネットワーク要素は、前記ユーザ端末にサービスを提供する第1のサーバまたは第1のサーバのサービスアクセスネットワーク要素である、請求項48に記載の第1のサービスネットワーク要素。
【請求項５０】
前記サービスパケット転送経路は、サービスフロー識別子に対応する転送トンネルまたはサービスフロー識別子に対応する転送ポリシーを含む、請求項48または49に記載の第1のサービスネットワーク要素。
【請求項５１】
前記経路確立ユニットは、前記制御プレーンネットワーク要素によって送信された第1のセッション確立要求を受信し、
前記第1のサービスネットワーク要素と前記ユーザ端末に前記転送サービスを提供する前記第1の転送プレーンネットワーク要素との間に前記サービスパケット転送トンネルを確立し、
前記第1のセッション確立要求は、前記第1の転送プレーンネットワーク要素のIPを運ぶ、
ように構成される、請求項50に記載の第1のサービスネットワーク要素。
【請求項５２】
前記第1のセッション確立要求が前記サービスフロー識別子を運び、前記送信ユニットが、
前記サービスフロー識別子に対応する前記転送トンネルを介して、前記サービスフロー識別子に対応する前記サービスパケットを転送する
ようにさらに構成される、請求項51に記載の第1のサービスネットワーク要素。
【請求項５３】
前記経路確立ユニットは、
前記サービスフロー識別子を運ぶ、前記制御プレーンネットワーク要素によって配信される前記転送ポリシーを受信し、
前記転送ポリシーに基づいて、前記サービスフロー識別子に対応する前記サービスパケットを転送する
ように構成される、請求項50に記載の第1のサービスネットワーク要素。
【請求項５４】
前記第1のサービスネットワーク要素は、転送ユニットをさらに備え、
前記受信ユニットは、前記制御プレーンネットワーク要素または管理システムを介して前記制御プレーンネットワーク要素によって送信されたコンテキスト転送要求を受信するようにさらに構成され、
前記転送ユニットは、前記ユーザ端末に関連するサービスコンテキスト情報を第2のサーバに転送するようにさらに構成される、請求項47に記載の第1のサービスネットワーク要素。
【請求項５５】
前記送信ユニットは、前記第1のサーバによって、前記制御プレーンネットワーク要素にコンテキスト転送確認応答メッセージを送信し、その結果、前記制御プレーンネットワーク要素は、前記第1の転送プレーンネットワーク要素にセッション削除要求メッセージを送信し、前記第1の転送プレーンネットワーク要素は、前記セッション削除要求に基づいて、前記ユーザ端末に関連する前記サービスコンテキスト情報を削除する、ようにさらに構成される、
請求項54に記載の第1のサービスネットワーク要素。
【請求項５６】
前記第1のサービスネットワーク要素は、
前記第1のサービスネットワーク要素によって、前記サービスフロー識別子と前記転送経路との間に対応関係を確立するように構成される関係確立ユニット
をさらに備え、
前記受信ユニットは、
前記サービスフロー識別子を運ぶ前記サービスパケットを受信し、
前記サービスフロー識別子と前記転送経路との前記対応関係に基づいて、前記サービスフロー識別子に対応する前記転送経路を判定し、
前記サービスフロー識別子に対応する前記転送経路を介して前記サービスパケットを転送する
ように構成される、請求項48、50、および51のいずれか一項に記載の第1のサービスネットワーク要素。
【請求項５７】
第1の転送プレーンネットワーク要素であって、
前記第1の転送プレーンネットワーク要素と前記ユーザ端末にサービスを提供する第1のサービスネットワーク要素との間にサービスパケット転送経路を確立するように構成される経路確立ユニットと、
前記サービス転送経路を介して前記ユーザ端末のサービスパケットを送信し、前記第1の転送プレーンネットワーク要素は、前記ユーザ端末に関連する受信された制御要求に基づいて、前記制御プレーンネットワーク要素によって判定される、ように構成される送信ユニットと、
を備える、第1の転送プレーンネットワーク要素。
【請求項５８】
前記サービスパケット転送経路は、サービスフロー識別子に対応する転送トンネルまたはサービスフロー識別子に対応する転送ポリシーを含む、請求項57に記載の第1の転送プレーンネットワーク要素。
【請求項５９】
前記経路確立ユニットは、
前記制御プレーンネットワーク要素によって送信された第2のセッション確立要求を受信し、
前記第1の転送プレーンネットワーク要素と前記ユーザ端末に前記サービスを提供する前記第1のサービスネットワーク要素との間に前記サービスフロー識別子に対応する前記転送トンネルを確立し、
前記第2のセッション確立要求は、前記第1のサービスネットワーク要素のIPを運ぶ
ように構成される、請求項58に記載の第1の転送プレーンネットワーク要素。
【請求項６０】
前記第2のセッション確立要求が前記サービスフロー識別子をさらに運び、前記送信ユニットが、
前記サービスフロー識別子に対応する前記転送トンネルを介して、前記サービスフロー識別子に対応する前記サービスパケットを転送する
ようにさらに構成される、請求項59に記載の第1の転送プレーンネットワーク要素。
【請求項６１】
前記経路確立ユニットは、
前記サービスフロー識別子を運ぶ、前記制御プレーンネットワーク要素によって配信される前記転送ポリシーを受信し、
前記転送ポリシーに基づいて、前記サービスフロー識別子に対応する前記サービスパケットを転送する
ように構成される、請求項58に記載の第1の転送プレーンネットワーク要素。
【請求項６２】
前記第1の転送プレーンネットワーク要素は、
前記第1の転送プレーンネットワーク要素によって、前記サービスフロー識別子と前記転送経路との間に対応関係を確立するように構成される関係確立ユニット
をさらに備え、
前記送信ユニットは、
前記サービスフロー識別子を運ぶ前記サービスパケットを受信し、
前記サービスフロー識別子と前記サービスフロー識別子に対応する前記転送経路との前記対応関係に基づいて、前記サービスフロー識別子に対応する前記転送経路を判定し、
前記サービスフロー識別子に対応する前記転送経路を介して前記サービスパケットを転送する、
ように構成される、請求項58、60、および61のいずれか一項に記載の第1の転送プレーンネットワーク要素。
【発明の詳細な説明】
【技術分野】
【０００１】
本発明は、通信技術の分野に関し、詳細には、通信制御方法および関連するネットワーク要素に関する。
【背景技術】
【０００２】
発展型パケットシステム（Evolved Packet System、EPS）は、アクセスネットワークとコアネットワークとの2つの部分を含む。アクセスネットワークは、無線アクセス関連機能を実装するように構成された発展型汎用地上無線アクセスネットワーク（Evolved Universal Terrestrial Radio Access Network、E−UTRAN）である。発展型パケットコアネットワーク（Evolved Packet Core、EPC）における主要な論理ネットワーク要素は、移動管理エンティティ（Mobility Management Entity、MME）と、サービングゲートウェイ（Serving Gateway、S−GW）と、パケットデータネットワークゲートウェイ（Packet Data Network Gateway、P−GW）と、ホーム加入者サーバ（Home Subscriber Server、HSS）と、を含む。
【０００３】
MMEは、シグナリングプレーン機能の処理、例えば、ユーザ認証およびハンドオーバ、アイドル状態のユーザ端末の移動管理、ならびにユーザコンテキストおよびベアラの管理を主に実施する。HSSは、ユーザサブスクリプション情報を記憶する。S−GWは、パケットデータのルーティングおよび転送を実施するためのユーザプレーン機能エンティティであり、汎用地上無線アクセスネットワーク（Evolved Universal Terrestrial Radio Access Network、E−UTRAN）のインターフェースを終了するための、第3世代パートナーシッププロジェクト（the 3rd Generation Partnership Project、3GPP）システムのデータアンカーとして機能する。加えて、S−GWは、地理的エリアにおけるE−UTRANハンドオーバシナリオにおけるローカル移動管理アンカーである。P−GWは、外部データネットワークに接続されたゲートウェイであり、3GPPアクセスネットワークと非3GPPアクセスネットワークとの間のユーザプレーンアンカーである。ユーザ端末は、P−GWに接続し、外部パケットデータネットワークにアクセスするために公衆データネットワーク（Public Data Network、PDN）接続を確立することができる。PDNは、インターネット、仮想プライベートネットワーク（Virtual Private Network、VPN）、IPマルチメディアサービス（IP Multi−media Service、IMS）ネットワーク、オペレータによって提供されるワイヤレスアプリケーションプロトコル（Wireless Application Protocol、WAP）などであり得る。EPCアーキテクチャでは、ユーザ端末のIPに対して、P−GWは外部からルーティング機能を提供する。したがって、ユーザ端末が移動した後に、インターネットプロトコル（Internet Protocol、IP）の連続性を確保するために、ユーザ端末のサービスフローならびにアップリンク経路およびダウンリンク経路のIPを送信元P−GWに固定する必要がある。しかしながら、ユーザ端末が移動した後に、このことにより、比較的長いサービスフロー経路が生じ、比較的長いレイテンシがさらに生じ、劣悪なユーザエクスペリエンスが生じる。
【０００４】
超低レイテンシのサービス要件を満たすために、以下の3つの方式が従来技術で主に使用されている。1．ボーダゲートウェイプロトコル（Border Gateway Protocol、BGP）経路広告による解決策は、自律システム相互接続トポロジを効果的に構築し、経路ループを除去するために、ネットワーク到達性情報を別のBGPシステムと交換するために使用される。この解決策の欠点は、各ユーザ端末のIPルーティングテーブルおよびサーバ単位のIPルーティングテーブルでフラグメントが生成されることである。2．ネットワークデバイスの制御プレーンとユーザプレーンとが分離され、制御プレーンの集中配備およびユーザプレーンの分散配備の仕方がレイテンシの問題を解決するために使用される、ソフトウェア定義ネットワーク（Software Defined Network、SDN）ルーティングによる解決策が使用される。この解決策の欠点は、新しいネットワークメカニズムの配備に依存することである。3．マルチパス伝送制御プロトコル（Multipath Transmission Control Protocol、MPTCP）技術が使用される。TCPよりも改良されたプロトコルとして、MPTCPは、1つのTCPリンク上に複数のサブチャネルを確立することを可能にし、データを送信するために複数のサブチャネルのいずれか1つを選択することができる。この解決策の欠点は、新しいネットワークメカニズムの配備に依存することである。
【発明の概要】
【０００５】
本発明の実施形態は、エンドツーエンドのサービスパケットルーティングメカニズムを提供するために、通信制御方法および関連するネットワーク要素を提供する。
【課題を解決するための手段】
【０００６】
第1の実施態様によれば、本発明の一実施形態は、
制御プレーンネットワーク要素によって、第1の基地局を介してネットワークにアクセスするユーザ端末に関連する制御要求を受信し、制御要求に基づいて、ユーザ端末にサービスを提供する第1のサービスネットワーク要素を判定する、ステップと、
制御プレーンネットワーク要素によって、ユーザ端末に転送サービスを提供する第1の転送プレーンネットワーク要素を判定するステップと、
制御プレーンネットワーク要素によって、ユーザ端末のサービスパケットを送信するために、第1のサービスネットワーク要素と第1の転送プレーンネットワーク要素との間にサービスパケット転送経路を確立するステップと、
を含む、通信制御方法を提供する。
【０００７】
上記の技術的解決策では、制御プレーンネットワーク要素は、第1のサービスネットワーク要素および第1の転送プレーンネットワーク要素を判定し、次いで、エンドツーエンドのサービスパケットルーティングメカニズムを提供するために、第1のサービスネットワーク要素と第1の転送プレーンネットワーク要素との間にサービスパケット転送経路を確立する。
【０００８】
第1の実施態様に関連して、第1の実施態様の第1の可能な実装では、第1のサービスネットワーク要素は、ユーザ端末にサービスを提供する第1のサーバまたは第1のサーバのサービスアクセスネットワーク要素である。
【０００９】
第1の実施態様の第1の可能な実装または第2の可能な実装に関連して、第1の実施態様の第2の可能な実装では、制御要求は、アクセス要求またはサービス要求である。
【００１０】
第1の実施態様または第1の実施態様の第1もしくは第2の可能な実装のいずれか1つに関連して、第1の実施態様の第3の可能な実装では、サービスパケット転送経路は、サービスフロー識別子に対応する転送トンネルまたはサービスフロー識別子に対応する転送ポリシーを含む。
【００１１】
第1の実施態様の第3の可能な実装に関連して、第1の実施態様の第4の可能な実装では、制御プレーンネットワーク要素によって、第1のサービスネットワーク要素と第1の転送プレーンネットワーク要素との間にサービスフロー識別子に対応する転送トンネルを確立するステップは、
制御プレーンネットワーク要素によって、第1のサービスネットワーク要素に第1のセッション確立要求を送信するステップであって、第1のセッション確立要求が、第1の転送プレーンネットワーク要素のIPを運ぶ、ステップと、
制御プレーンネットワーク要素によって、第1の転送プレーンネットワーク要素に第2のセッション確立要求を送信するステップであって、第2のセッション確立要求が、第1のサービスネットワーク要素のIPを運ぶ、ステップと、
を含む。
【００１２】
第1の実施態様の第4の可能な実装に関連して、第1の実施態様の第5の可能な実装では、第1のセッション確立要求はサービスフロー識別子をさらに運ぶ、および／または第2のセッション確立要求はサービスフロー識別子をさらに運ぶ。
【００１３】
第1の実施態様の第3の可能な実装に関連して、第1の実施態様の第6の可能な実装では、制御プレーンネットワーク要素によって、第1のサービスネットワーク要素と第1の転送プレーンネットワーク要素との間にサービスフロー識別子に対応する転送ポリシーを確立するステップは、
制御プレーンネットワーク要素によって第1のサービスネットワーク要素に、サービスフロー識別子を運ぶ転送ポリシーを配信するステップであって、その結果、第1のサービスネットワーク要素が、転送ポリシーに基づいて、サービスフロー識別子に対応するサービスパケットを転送する、ステップ、および／または
制御プレーンネットワーク要素によって、第1の転送プレーンネットワーク要素に、サービスフロー識別子を運ぶ転送ポリシーを配信するステップであって、その結果、第1の転送プレーンネットワーク要素が、転送ポリシーに基づいて、サービスフロー識別子に対応するサービスパケットを転送する、ステップ
を含む。
【００１４】
第1の実施態様の第3、第4、第5、または第6の可能な実装のいずれか1つに関連して、第1の実施態様の第7の可能な実装では、サービスフロー識別子は、ユーザ端末のIP、ユーザ端末のポート番号、サーバのIP、またはサーバのポート番号のうちの少なくとも1つである。
【００１５】
第1の実施態様の第3の可能な実装に関連して、第1の実施態様の第8の可能な実装では、制御プレーンネットワーク要素によって、第1のサービスネットワーク要素と第1の転送プレーンネットワーク要素との間にサービスフロー識別子に対応する転送トンネルを確立するステップの前に、本方法は、
制御プレーンネットワーク要素によって、管理システムに識別要求を送信するステップであって、その結果、管理システムが、第1の転送プレーンネットワーク要素のIPを運ぶ識別応答メッセージを返す、ステップと、
管理システムによって送信された識別応答メッセージを受信した場合、制御プレーンネットワーク要素によって、識別応答メッセージから第1の転送プレーンネットワーク要素のIPを取得するステップと、
をさらに含む。
【００１６】
第1の実施態様の第3の可能な実装に関連して、第1の実施態様の第9の可能な実装では、制御プレーンネットワーク要素によって、第1のサービスネットワーク要素と第1の転送プレーンネットワーク要素との間にサービスフロー識別子に対応する転送トンネルを確立するステップの前に、本方法は、
制御プレーンネットワーク要素によって、管理システムに識別要求を送信するステップであって、その結果、管理システムが、第1の転送プレーンネットワーク要素のIPを運ぶ識別応答メッセージを返す、ステップと、
管理システムによって送信された識別応答メッセージを受信した場合、制御プレーンネットワーク要素によって、識別応答メッセージから第1の転送プレーンネットワーク要素のIPを取得するステップと、
をさらに含む。
【００１７】
第1の実施態様の第7の可能な実装または第1の実施態様の第8の可能な実装に関連して、第1の実施態様の第10の可能な実装では、識別要求は、サービスタイプを運ぶ、またはユーザ端末の現在の位置情報およびサービスタイプを運び、第1の転送プレーンネットワーク要素および／または第1のサービスネットワーク要素は、識別要求に基づいて管理システムによって構成される。
【００１８】
第1の実施態様に関連して、第1の実施態様の第11の可能な実装では、制御要求は、ユーザ端末の現在の位置情報を運び、
制御プレーンネットワーク要素によって、制御要求に基づいて、ユーザ端末にサービスを提供する第1のサービスネットワーク要素を判定するステップは、
制御プレーンネットワーク要素によって、ユーザ端末の現在の位置情報および事前構成情報に基づいて、第1のサービスネットワーク要素を判定し、第1のサービスネットワーク要素のIPを取得する、ステップ
を含む。
【００１９】
第1の実施態様または第1の実施態様の第1、第2、第3、第4、第5、第6、第7、第8、第9、第10、第11、もしくは第12の可能な実装のいずれか1つに関連して、第1の実施態様の第12の可能な実装では、制御プレーンネットワーク要素によって、第1のサービスネットワーク要素と第1の転送プレーンネットワーク要素との間にサービスパケット転送経路を確立するステップの後、本方法は、
ユーザ端末が第1の基地局から第2の基地局へハンドオーバされた場合、制御プレーンネットワーク要素によって、ユーザ端末のハンドオーバ通知を受信するステップと、
制御プレーンネットワーク要素によって、ハンドオーバ通知に基づいて、ユーザ端末のサービスパケットを送信するために、第2のサービスネットワーク要素と第2の転送プレーンネットワーク要素との間に新しいサービスパケット転送経路を確立するステップであって、第2のサービスネットワーク要素は、第2のサーバまたは第2のサーバのサービスアクセスネットワーク要素である、ステップと、
をさらに含む。
【００２０】
上記の技術的解決策では、ユーザ端末のハンドオーバ通知を受信するステップの後、制御プレーンネットワーク要素は、ユーザ端末のサービスパケットを送信し、サービスパケット転送経路の切り替えを実施するために、第2のサービスネットワーク要素と第2の転送プレーンネットワーク要素との間に新しいサービスパケット転送経路を確立する。
【００２１】
第1の実施態様の第13の可能な実装に関連して、第1の実施態様の第14の可能な実装では、制御プレーンネットワーク要素によって、ユーザ端末のハンドオーバ通知を受信するステップの後、本方法は、
制御プレーンネットワーク要素によって、第1のサーバにコンテキスト転送要求を送信するステップであって、その結果、第1のサーバが、ユーザ端末に関連するサービスコンテキスト情報を第2のサーバに転送する、ステップ、または
制御プレーンネットワーク要素によって、管理システムを介して第1のサーバにコンテキスト転送要求を送信するステップであって、その結果、第1のサーバが、ユーザ端末に関連するサービスコンテキスト情報を第2のサーバに転送する、ステップ
をさらに含む。
【００２２】
上記の技術的解決策では、制御プレーンネットワーク要素は、サービスコンテキスト情報を転送するために、第1のサーバにコンテキスト転送要求を送信し、それによって、ハンドオーバ中にコンテキスト情報がロスレスであることを確保する。
【００２３】
第1の実施態様の第14の可能な実装に関連して、第1の実施態様の第15の可能な実装では、制御プレーンネットワーク要素によって、コンテキスト転送要求を第1のサーバに送信するステップの後、本方法は、
第1のサーバによって送信されたコンテキスト転送確認応答メッセージを受信した場合、制御プレーンネットワーク要素によって、第1の転送プレーンネットワーク要素にセッション削除要求メッセージを送信するステップであって、その結果、第1の転送プレーンネットワーク要素が、セッション削除要求に基づいて、ユーザ端末に関連するサービスコンテキスト情報を削除する、ステップ
をさらに含む。
【００２４】
第2の実施態様では、本発明の一実施形態は、
制御プレーンネットワーク要素を介して、第1のサービスネットワーク要素によって、第1のサービスネットワーク要素とユーザ端末に転送サービスを提供する第1の転送プレーンネットワーク要素との間にサービスパケット転送経路を確立するステップと、
第1のサービスネットワーク要素によって、サービスパケット転送経路を介してユーザ端末のサービスパケットを送信するステップと、
を含み、
第1の転送プレーンネットワーク要素は、ユーザ端末に関連する受信された制御要求に基づいて、制御プレーンネットワーク要素によって判定される、通信制御方法を提供する。
【００２５】
第2の実施態様に関連して、第2の実施態様の第1の可能な実装では、第1のサービスネットワーク要素は、ユーザ端末にサービスを提供する第1のサーバまたは第1のサーバのサービスアクセスネットワーク要素である。
【００２６】
第2の実施態様または第2の実施態様の第1の可能な実装に関連して、第2の実施態様の第2の可能な実装では、サービスパケット転送経路は、サービスフロー識別子に対応する転送トンネルまたはサービスフロー識別子に対応する転送ポリシーを含む。
【００２７】
第2の実施態様の第2の可能な実装に関連して、第2の実施態様の第3の可能な実装では、第1のサービスネットワーク要素によって、第1のサービスネットワーク要素とユーザ端末に転送サービスを提供する第1の転送プレーンネットワーク要素との間にサービスパケット転送トンネルを確立するステップは、
第1のサービスネットワーク要素によって、制御プレーンネットワーク要素によって送信された第1のセッション確立要求を受信し、第1のサービスネットワーク要素とユーザ端末に転送サービスを提供する第1の転送プレーンネットワーク要素との間にサービスパケット転送トンネルを確立する、ステップであって、
第1のセッション確立要求は、第1の転送プレーンネットワーク要素のIPを運ぶ、ステップ
を含む。
【００２８】
第2の実施態様の第3の可能な実装に関連して、第2の実施態様の第4の可能な実装では、第1のセッション確立要求がサービスフロー識別子を運び、第1のサービスネットワーク要素によって、第1のサービスネットワーク要素とユーザ端末に転送サービスを提供する第1の転送プレーンネットワーク要素との間にサービスフロー識別子に対応する転送トンネルを確立するステップの後、本方法は、
サービスフロー識別子に対応する転送トンネルを介して、第1のサービスネットワーク要素によって、サービスフロー識別子に対応するサービスパケットを転送するステップ
をさらに含む。
【００２９】
第2の実施態様の第2の可能な実装に関連して、第2の実施態様の第5の可能な実装では、制御プレーンネットワーク要素を介して、第1のサービスネットワーク要素によって、第1のサービスネットワーク要素とユーザ端末に転送サービスを提供する第1の転送プレーンネットワーク要素との間にサービスフロー識別子に対応する転送ポリシーを確立するステップは、
第1のサービスネットワーク要素によって、サービスフロー識別子を運び、制御プレーンネットワーク要素によって配信される転送ポリシーを受信するステップと、
第1のサービスネットワーク要素によって、転送ポリシーに基づいて、サービスフロー識別子に対応するサービスパケットを転送するステップと、
を含む。
【００３０】
第2の実施態様の可能な実装では、第1のサービスネットワーク要素は、識別要求に基づいて管理システムによって構成され、識別要求は、制御プレーンネットワーク要素によって管理システムに送信される。
【００３１】
第2の実施態様の可能な実装では、第1のサービスネットワーク要素は、制御プレーンネットワーク要素によって、受信した制御要求におけるユーザ端末の現在の位置情報および事前構成情報に基づいて、判定される。
【００３２】
第2の実施態様の第1の可能な実装に関連して、第2の実施態様の第6の可能な実装では、第1のサービスネットワーク要素によって、第1のサービスネットワーク要素とユーザ端末に転送サービスを提供する第1の転送プレーンネットワーク要素との間にサービスパケット転送経路を確立するステップの後、本方法は、
第1のサーバによって、制御プレーンネットワーク要素または管理システムを介して制御プレーンネットワーク要素が送信したコンテキスト転送要求を受信するステップと、
第1のサーバによって、ユーザ端末に関連するサービスコンテキスト情報を第2のサーバに転送するステップと、
をさらに含む。
【００３３】
第2の実施態様の第6の可能な実装に関連して、第2の実施態様の第7の可能な実装では、第1のサーバによって、制御プレーンネットワーク要素または管理システムを介して制御プレーンネットワーク要素が送信したコンテキスト転送要求を受信するステップの後、本方法は、
第1のサーバによって、コンテキスト転送確認応答メッセージを制御プレーンネットワーク要素に送信するステップであって、その結果、制御プレーンネットワーク要素が、セッション削除要求メッセージを第1の転送プレーンネットワーク要素に送信し、第1の転送プレーンネットワーク要素が、セッション削除要求に基づいて、ユーザ端末に関連するサービスコンテキスト情報を削除する、ステップ
をさらに含む。
【００３４】
第2の実施態様の第2、第4、または第5の可能な実装に関連して、第2の実施態様の第8の可能な実装では、本方法は、
第1のサービスネットワーク要素によって、サービスフロー識別子と転送経路との間に対応関係を確立するステップ
をさらに含み、
第1のサービスネットワーク要素によって、サービスパケット転送経路を介してユーザ端末のサービスパケットを送信するステップは、
第1のサービスネットワーク要素によって、サービスフロー識別子を運ぶサービスパケットを受信するステップと、
第1のサービスネットワーク要素によって、サービスフロー識別子と転送経路との間の対応関係に基づいて、サービスフロー識別子に対応する転送経路を判定するステップと、
第1のサービスネットワーク要素によって、サービスフロー識別子に対応する転送経路を介してサービスパケットを転送するステップと、
を含む。
【００３５】
第3の実施態様では、本発明の一実施形態は、
制御プレーンネットワーク要素を介して、第1の転送プレーンネットワーク要素によって、第1の転送プレーンネットワーク要素とユーザ端末にサービスを提供する第1のサービスネットワーク要素との間にサービスパケット転送経路を確立するステップと、
第1の転送プレーンネットワーク要素によって、サービス転送経路を介してユーザ端末のサービスパケットを送信するステップであって、第1の転送プレーンネットワーク要素は、ユーザ端末に関連する受信された制御要求に基づいて、制御プレーンネットワーク要素によって判定される、ステップと、
を含む、通信制御方法を提供する。
【００３６】
第3の実施態様に関連して、第3の実施態様の第1の可能な実装では、サービスパケット転送経路は、サービスフロー識別子に対応する転送トンネルまたはサービスフロー識別子に対応する転送ポリシーを含む。
【００３７】
第3の実施態様の第1の可能な実装に関連して、第3の実施態様の第2の可能な実装では、制御プレーンネットワーク要素を介して、第1の転送プレーンネットワーク要素によって、第1の転送プレーンネットワーク要素とユーザ端末にサービスを提供する第1のサービスネットワーク要素との間にサービスフロー識別子に対応する転送トンネルを確立するステップは、
第1の転送プレーンネットワーク要素によって、制御プレーンネットワーク要素によって送信された第2のセッション確立要求を受信し、第1の転送プレーンネットワーク要素とユーザ端末にサービスを提供する第1のサービスネットワーク要素との間にサービスフロー識別子に対応する転送トンネルを確立する、ステップであって、
第2のセッション確立要求は、第1のサービスネットワーク要素のIPを運ぶ、ステップ
を含む。
【００３８】
第3の実施態様の第2の可能な実装に関連して、第3の実施態様の第3の可能な実装では、第2のセッション確立要求がサービスフロー識別子をさらに運び、第1の転送プレーンネットワーク要素によって、制御プレーンネットワーク要素によって送信された第2のセッション確立要求を受信するステップの後、本方法は、
サービスフロー識別子に対応する転送トンネルを介して、第1の転送プレーンネットワーク要素によって、サービスフロー識別子に対応するサービスパケットを転送するステップ
をさらに含む。
【００３９】
第3の実施態様の第1の可能な実装に関連して、第3の実施態様の第4の可能な実装では、制御プレーンネットワーク要素を介して、第1の転送プレーンネットワーク要素によって、第1の転送プレーンネットワーク要素とユーザ端末にサービスを提供する第1のサービスネットワーク要素との間にサービスフロー識別子に対応する転送ポリシーを確立するステップは、
第1の転送プレーンネットワーク要素によって、サービスフロー識別子を運び、制御プレーンネットワーク要素によって配信される転送ポリシーを受信するステップと、
第1の転送プレーンネットワーク要素によって、転送ポリシーに基づいて、サービスフロー識別子に対応するサービスパケットを転送するステップと、
を含む。
【００４０】
第3の実施態様の第1、第3、または第4の可能な実装に関連して、第3の実施態様の第5の可能な実装では、本方法は、
第1の転送プレーンネットワーク要素によって、サービスフロー識別子と転送経路との間に対応関係を確立するステップ
をさらに含み、
第1の転送プレーンネットワーク要素によって、サービスパケット転送経路を介してユーザ端末のサービスパケットを送信するステップは、
第1の転送プレーンネットワーク要素によって、サービスフロー識別子を運ぶサービスパケットを受信するステップと、
第1の転送プレーンネットワーク要素によって、サービスフロー識別子と転送経路との間の対応関係に基づいて、サービスフロー識別子に対応する転送経路を判定するステップと、
第1の転送プレーンネットワーク要素によって、サービスフロー識別子に対応する転送経路を介してサービスパケットを転送するステップと、
を含む。
【００４１】
第3の実施態様の可能な実装では、第1の転送プレーンネットワーク要素は、識別要求に基づいて管理システムによって構成され、識別要求は、制御プレーンネットワーク要素によって管理システムに送信される。
【００４２】
第3の実施態様の可能な実装では、第1の転送プレーンネットワーク要素は、制御プレーンネットワーク要素によって、受信した制御要求におけるユーザ端末の現在の位置情報および事前構成情報に基づいて、判定される。
【００４３】
第4の実施態様によれば、本発明の一実施形態は、
第1の基地局を介してネットワークにアクセスするユーザ端末に関連する制御要求を受信するように構成される受信ユニットと、
制御要求に基づいて、ユーザ端末にサービスを提供する第1のサービスネットワーク要素を判定するように構成される判定ユニットであって、
判定ユニットは、ユーザ端末に転送サービスを提供する第1の転送プレーンネットワーク要素を判定するようにさらに構成される、判定ユニットと、
ユーザ端末のサービスパケットを送信するために、第1のサービスネットワーク要素と第1の転送プレーンネットワーク要素との間にサービスパケット転送経路を確立するように構成される経路確立ユニットと、
を備える、制御プレーンネットワーク要素を提供する。
【００４４】
第5の実施態様では、本発明の一実施形態は、
第1のサービスネットワーク要素とユーザ端末に転送サービスを提供する第1の転送プレーンネットワーク要素との間にサービスパケット転送経路を確立するように構成される経路確立ユニットと、
サービスパケット転送経路を介してユーザ端末のサービスパケットを送信するように構成される送信ユニットと、
を備え、
第1の転送プレーンネットワーク要素は、ユーザ端末に関連する受信された制御要求に基づいて、制御プレーンネットワーク要素によって判定される、第1のサービスネットワーク要素を提供する。
【００４５】
第6の実施態様では、本発明の一実施形態は、
第1の転送プレーンネットワーク要素とユーザ端末にサービスを提供する第1のサービスネットワーク要素との間にサービスパケット転送経路を確立するように構成される経路確立ユニットと、
サービスパケット転送経路を介してユーザ端末のサービスを送信し、第1の転送プレーンネットワーク要素は、ユーザ端末に関連する受信された制御要求に基づいて、制御プレーンネットワーク要素によって判定される、ように構成される送信ユニットと、
を備える、第1の転送プレーンネットワーク要素を提供する。
【００４６】
第7の実施態様によれば、本発明の一実施形態は、制御プレーンネットワーク要素を提供し、制御プレーンネットワーク要素は、プロセッサとメモリとを備え、メモリは一群のプログラムを記憶し、プロセッサは、メモリに記憶されたプログラムを呼び出すように構成され、その結果、デバイスが第1の実施態様のいくつかまたはすべての可能な実装を実行する。
【００４７】
第8の実施態様によれば、本発明の一実施形態は、第1のサービスネットワーク要素を提供し、制御プレーンネットワーク要素は、プロセッサとメモリとを備え、メモリは一群のプログラムを記憶し、プロセッサは、メモリに記憶されたプログラムを呼び出すように構成され、その結果、デバイスが第2の実施態様のいくつかまたはすべての可能な実装を実行する。
【００４８】
第9の実施態様によれば、本発明の一実施形態は、第1の転送プレーンネットワーク要素を提供し、制御プレーンネットワーク要素は、プロセッサとメモリとを備え、メモリは一群のプログラムを記憶し、プロセッサは、メモリに記憶されたプログラムを呼び出すように構成され、その結果、デバイスが第3の実施態様のいくつかまたはすべての可能な実装を実行する。
【００４９】
第10の実施態様によれば、本発明の一実施形態は、制御システムを提供し、制御システムは、制御プレーンネットワーク要素と、第1の転送プレーンネットワーク要素と、第1のサービスネットワーク要素と、を備え、制御プレーンネットワーク要素は、第1の実施態様のいくつかまたはすべての可能な実装を実行し、第1の転送プレーンネットワーク要素は、第2の実施態様のいくつかまたはすべての可能な実装を実行し、第1のサービスネットワーク要素は、第3の実施態様のいくつかまたはすべての可能な実装を実行する。
【００５０】
本発明の実施形態における、または従来技術における技術的な解決策をより明確に説明するために、以下、実施形態を説明するために必要な添付の図面を簡単に説明する。当然のことながら、以下の説明における添付の図面は、本発明の一部の実施形態を単に示すものであり、当業者は、創造的努力がなくても、これらの添付の図面から他の図面をさらに導出することができる。
【図面の簡単な説明】
【００５１】
【図１】本発明の一実施形態による制御システムの概略的なアーキテクチャ図である。
【図２】本発明の一実施形態による通信制御方法の概略的な流れ図である。
【図３】本発明の一実施形態による通信制御方法における情報交換の概略図である。
【図４】本発明の一実施形態による別の通信制御方法の概略的な流れ図である。
【図５】本発明の一実施形態による別の通信制御方法における情報交換の概略図である。
【図６】本発明の一実施形態による制御プレーンネットワーク要素の概略的なモジュール図である。
【図７】本発明の一実施形態による制御プレーンネットワーク要素の概略的な構成図である。
【図８】本発明の一実施形態による第1のサービスネットワーク要素の概略的なモジュール図である。
【図９】本発明の一実施形態による第1のサービスネットワーク要素の概略的な構成図である。
【図１０】本発明の一実施形態による第1の転送プレーンネットワーク要素の概略的なモジュール図である。
【図１１】本発明の一実施形態による第1の転送プレーンネットワーク要素の概略的な構成図である。
【発明を実施するための形態】
【００５２】
本発明の目的、特徴、および利点をより明確かつわかりやすくするために、以下、本発明の実施形態における添付の図面を参照しながら、本発明の実施形態における技術的解決策を明確かつ十分に説明する。当然のことながら、以下に説明する実施形態は、本発明の実施形態の一部に過ぎず、すべてではない。本発明の実施形態に基づいて、当業者によって創造的努力なしに得られるすべての他の実施形態は、本発明の保護範囲内に含まれるものとする。
【００５３】
本発明の実施形態を理解するのを助けるために、以下に、本発明の実施形態における関連するネットワーク要素を詳細に説明する。
【００５４】
（1）ユーザ端末（User Equipment、UE）は、移動端末デバイス、ネットワークアクセス端末デバイス、モノのインターネット（Internet of Things）の端末デバイスなどを含む、ネットワーク端末デバイスである。
【００５５】
（2）基地局（Base Station、BS）は、ロングタームエボリューション（Long Term Evolution、LTE）基地局、Wi−Fi（登録商標）アクセスポイント、5G基地局、ワールドワイド・インターオペラビリティ・フォー・マイクロウェーブ・アクセス（Worldwide Interoperability for Microwave Access、WiMax）基地局などを含む、ユーザ端末に無線アクセスを提供するデバイスである。
【００５６】
（3）制御プレーンネットワーク要素は、移動ネットワークにおける移動管理または転送経路管理を担当するネットワーク要素であり、MME、P−GW、P−GW制御プレーン、S−GW、S−GW制御プレーン、または前述のネットワーク要素を統合し、モバイルゲートウェイコントローラのすべてまたは一部の機能を有するネットワーク要素であり得る。
【００５７】
（4）転送プレーンネットワーク要素は、ユーザのIPアドレスを固定する役割を果たし、サービス転送機能を有するネットワーク要素であり、EPCネットワークにおけるP−GWまたはP−GW転送プレーン、またはルータ、スイッチ、もしくはSDNスイッチなどの物理的もしくは仮想的な転送デバイスであり得る。
【００５８】
（5）サービスネットワーク要素は、ユーザ端末にサービスを提供するサーバまたはサーバのサービスアクセスネットワーク要素である。
【００５９】
（6）管理システムは、管理およびオーケストレーションシステム、モバイルエッジコンピューティングシステム、機能開示プラットフォーム（capability exposure platform）などであり得る。
【００６０】
以下、本発明の一実施形態における制御システムの概略的なアーキテクチャ図をまず説明する。図1は、本発明の一実施形態による制御システムの概略的なアーキテクチャ図である。図1では、以下のネットワーク要素、すなわち、UEと、第1の基地局BS1と、第2の基地局BS2と、第1の転送プレーンネットワーク要素と、第2の転送プレーンネットワーク要素と、制御プレーンネットワーク要素と、管理システムと、第1のサービスネットワーク要素と、第2のサービスネットワーク要素と、が主に含まれる。制御プレーンネットワーク要素は、第1の通信リンクおよび第2の通信リンクの確立を制御するように構成される。管理システムは、管理およびオーケストレーション（Management and Orchestration、MANO）システム、モバイルエッジコンピューティング（Mobile−edge Computing、MEC）システム、またはサービス機能開示プラットフォームであってもよく、制御プレーンネットワーク要素とシグナリング交換を実行し、本発明の本実施形態では、サービスネットワーク要素および／または転送プレーンネットワーク要素などを配備するように構成され得る。サービスネットワーク要素は、UEにサービスを提供するサーバまたはUEにサービスを提供するサーバのサービスアクセスネットワーク要素であってもよい。
【００６１】
UEが移動する前に、UEは、ネットワーク要素BS1および第1の転送プレーンネットワーク要素を通過する第1の通信リンクを介して、第1のサービスネットワーク要素にアクセスする。UEが移動を開始した後、UEはBS1からBS2にハンドオーバされ、UEはネットワーク要素BS2および第2の転送プレーンネットワーク要素を通過する第1の通信リンクを介して、第2のサービスネットワーク要素にアクセスし、同時に、元の第1の通信リンク上のリソースが削除される。本発明の本実施形態では、通信レイテンシを低減するために、転送プレーンネットワーク要素とサービスネットワーク要素との間に転送経路が確立され、転送経路は、サービスフロー識別子に対応する転送トンネルまたはサービスフロー識別子に対応する転送ポリシーを含む。転送経路が転送トンネルである場合、転送トンネルは、ユーザ端末のサービスパケットを伝送するための、サービスフロー単位の動的なサービスパケット転送トンネルであってもよく、トンネルは、IP in IPトンネル（IP in IP tunnel）であってもよいし、汎用パケット無線サービストンネリングプロトコル（general packet radio service tunneling protocol、GTP）または汎用ルーティングカプセル化プロトコル（Generic Routing Encapsulation、GRE）トンネルであってもよい。
【００６２】
本発明の本実施形態および他のすべての実施形態では、第1のサービスネットワーク要素、第1の転送プレーンネットワーク要素、第2のサービスネットワーク要素、および第2の転送プレーンネットワーク要素のいずれも、決まったネットワーク要素を特に示すものではない。第1のサービスネットワーク要素および第1の転送プレーンネットワーク要素は、アクセスされたサービスネットワーク要素およびアクセスされた転送プレーンネットワーク要素として理解されてもよい。第2のサービスネットワーク要素および第2の転送プレーンネットワーク要素は、ハンドオーバ後のサービスネットワーク要素および転送プレーンネットワーク要素として理解されてもよい。
【００６３】
図2は、本発明の一実施形態による通信制御方法の概略的な流れ図である。図2に示すように、本発明の本実施形態によって提供される通信制御方法は、ステップS101〜S103を含むことができる。
【００６４】
S101．第1の基地局を介してネットワークにアクセスするユーザ端末に関連する制御要求を受信し、制御要求に基づいて、ユーザ端末にサービスを提供する第1のサービスネットワーク要素を判定する。
【００６５】
具体的には、制御プレーンネットワーク要素が、第1の基地局を介してネットワークにアクセスするユーザ端末に関連する制御要求を受信し、制御要求に基づいて、ユーザ端末にサービスを提供する第1のサービスネットワーク要素を判定する。本発明の本実施形態では、ユーザ端末は、基地局またはサービス機能開示プラットフォームを介して、ユーザ端末に関連する制御要求を制御プレーンネットワーク要素に送信してもよいし、ホーム加入者サーバのサブスクリプションデータの変更に基づいて、ユーザ端末に関連する制御要求を制御プレーンネットワーク要素に送信してもよい。制御要求はアクセス要求またはサービス要求であってもよく、アクセス要求は、端末のサービス指示情報および端末の現在の位置情報を場合により運び、サービス要求は、ユーザ端末がアクセスする特定のサービスを示すために用いるサービス指示情報を運ぶ。制御プレーンネットワーク要素は、第1の基地局を介してネットワークにアクセスするユーザ端末に関連する制御要求を受信した後、制御要求のサービス指示情報などに基づいて、ユーザ端末にサービスを提供する第1のサービスネットワーク要素を判定し得る。第1のサービスネットワーク要素は、ユーザ端末にサービスを提供する第1のサーバ、またはユーザ端末にサービスを提供する第1のサーバのサービスアクセスネットワーク要素であってもよい。本発明の本実施形態では、制御プレーンネットワーク要素は、第1の基地局と第1の転送プレーンネットワーク要素との間の経路、および第1の転送プレーンネットワーク要素と第1のサービスネットワーク要素との間の経路の確立を完了する必要がある。
【００６６】
S102．ユーザ端末に転送サービスを提供する第1の転送プレーンネットワーク要素を判定する。
【００６７】
具体的には、制御プレーンネットワーク要素は、ユーザ端末に転送サービスを提供する第1の転送プレーンネットワーク要素を判定する。
【００６８】
本発明の本実施形態では、制御プレーンネットワーク要素は、複数の配備された転送プレーンネットワーク要素から、ユーザ端末の現在の位置または端末にアクセスサービスを提供する基地局の現在の位置とサービスタイプとに基づいて、ユーザ端末に転送サービスを提供する第1の転送プレーンネットワーク要素を判定し得る。制御プレーンネットワーク要素はまた、識別要求を管理システムに送信してもよい。ユーザ端末にサービスを提供するのに適切である第1の転送プレーンネットワーク要素が存在しないと管理システムが判定した場合、管理システムは、ユーザ端末の現在の位置情報および／またはサービスタイプに基づいて、ユーザ端末に近接する第1の転送プレーンネットワーク要素を配備する。管理システムは、ユーザ端末にアクセスサービスを提供する基地局の現在の位置情報および／またはサービスタイプに基づいて、ユーザ端末に近接する第1の転送プレーンネットワーク要素をさらに配備することができる。
【００６９】
場合により、ユーザ端末にサービスを提供する第1の転送プレーンネットワーク要素が既にネットワーク内に存在する場合に、制御要求がサービス要求である場合、サービス要求は、第1の転送プレーンネットワーク要素のIPアドレスをさらに運ぶことができる。この場合、制御プレーンネットワーク要素は、受信したサービス要求に基づいて、ユーザ端末にサービスを提供する第1の転送プレーンネットワーク要素を判定する。サービス要求は、第1の転送プレーンネットワーク要素のTEIDをさらに運ぶことができる。場合により、制御プレーンネットワーク要素は、サービス要求における端末のサービス指示情報および現在の位置情報に基づいて、既存の第1の転送プレーンネットワーク要素がユーザ端末に対応するサービスを提供するのに適切であるか否かをさらに判定することができる。既存の第1の転送プレーンネットワーク要素が適切でない場合、制御プレーンネットワーク要素は、新しい転送プレーンネットワーク要素を再判定することができる。判定方法は上記と同じであり、ここでは繰り返し説明しない。
【００７０】
S103．ユーザ端末のサービスパケットを送信するために、第1のサービスネットワーク要素と第1の転送プレーンネットワーク要素との間にサービスパケット転送経路を確立する。
【００７１】
具体的には、制御プレーンネットワーク要素は、ユーザ端末のサービスパケットを送信するために、第1のサービスネットワーク要素と第1の転送プレーンネットワーク要素との間にサービスパケット転送経路を確立する。本発明の本実施形態では、制御プレーンネットワーク要素は、ユーザ端末のサービスパケットを送信するために、第1のサービスネットワーク要素とユーザ端末に転送サービスを提供する第1の転送プレーンネットワーク要素との間にサービスパケット転送経路を確立するために、転送プレーンネットワーク要素およびサービスネットワーク要素とシグナリングを交換することができる。サービスパケット転送経路は、サービスフロー識別子に対応する転送トンネルまたはサービスフロー識別子に対応する転送ポリシーを含み得る。
【００７２】
第1のサービスネットワーク要素および第1の転送プレーンネットワーク要素は、サービスフロー識別子と転送経路との間の対応関係を記憶する。第1のサービスネットワーク要素または第1の転送プレーンネットワーク要素がサービスフロー識別子を運ぶサービスパケットを受信すると、サービスフロー識別子と転送経路との間の対応関係に基づいて、サービスフロー識別子に対応する転送経路が判定され、次いで、サービスパケットが、サービスフロー識別子に対応する転送経路を介して転送され得る。
【００７３】
サービスパケット転送経路がサービスフロー識別子に対応する転送トンネルである場合、転送トンネルを確立するプロセスは、以下のとおりである：制御プレーンネットワーク要素は、第1のセッション確立要求を第1のサービスネットワーク要素に送信し、第1のセッション確立要求が第1の転送プレーンネットワーク要素のIPを運び、第2のセッション要求を第1の転送プレーンネットワーク要素に送信し、第2のセッション要求が第1のサービスネットワーク要素のIPを運ぶことができ、その結果、第1の転送プレーンネットワーク要素と第1のサービスネットワーク要素とは互いにIPを把握し、したがって、サービスパケット転送トンネルを確立し、トンネルがIP in IPトンネルであってよく、サービスネットワーク要素のIPが、第1の転送プレーンネットワーク要素とサービスネットワーク要素との間のIP in IPトンネルのサービスネットワーク要素の終わりにおけるトンネルエンドポイントを識別するために使用される。場合により、第1のセッション確立要求はサービスフロー識別子をさらに運ぶ、および／または第2のセッション確立要求はサービスフロー識別子をさらに運ぶ。サービスフロー識別子は、ユーザ端末のIP、ユーザ端末のポート番号、サーバのIP、またはサーバのポート番号のうちの少なくとも1つである。
【００７４】
トンネルは、IP in IPトンネルに加えて、GTPトンネルまたはGREトンネルであってもよいため、トンネルがGTPトンネルである場合、第1のサービスネットワーク要素と第1の転送プレーンネットワーク要素との間にトンネルを確立するプロセスは、以下のとおりである：制御プレーンネットワーク要素は、第1のセッション確立要求を第1のサービスネットワーク要素に送信し、第1のセッション確立要求が第1の転送プレーンネットワーク要素のIPおよび第1の転送プレーンネットワーク要素のトンネルエンドポイント識別子（Tunnel Endpoint Identifier、TEID）を運び、第1のサービスネットワーク要素は、第1のセッション応答メッセージを制御プレーンネットワーク要素に送信し、第1のセッション応答メッセージが第1のサービスネットワーク要素のエンドポイント識別子を運び、制御プレーンネットワーク要素は、第2のセッション確立要求を第1の転送プレーンネットワーク要素に送信し、第2のセッション応答メッセージが第1のサービスネットワーク要素のIPと第1のサービスネットワーク要素のトンネルエンドポイント識別子TEIDとを運ぶ。
【００７５】
場合により、制御プレーンネットワーク要素は、第1のサービスネットワーク要素に、サービスフロー識別子を運ぶ転送ポリシーを配信し、その結果、第1のサービスネットワーク要素が、転送ポリシーに基づいて、サービスフロー識別子に対応するサービスパケットを転送する、および／または制御プレーンネットワーク要素は、第1の転送プレーンネットワーク要素に、サービスフロー識別子を運ぶ転送ポリシーを配信し、その結果、第1の転送プレーンネットワーク要素が、転送ポリシーに基づいて、サービスフロー識別子に対応するサービスパケットを転送する。
【００７６】
具体的には、第1のサービスネットワーク要素と第1の転送プレーンネットワーク要素との間の転送経路は、転送ポリシーに基づいてマルチホップ転送方式またはサービスチェイニング方式でさらに実装されてもよい。第1のサービスネットワーク要素と第1の転送プレーンネットワーク要素との間の転送経路が、サービスフロー識別子に対応する転送ポリシーによって実装される場合、第1のサービスネットワーク要素と第1の転送プレーンネットワーク要素との間に転送経路を確立するプロセスは、以下のとおりである：制御プレーンネットワーク要素または転送ポリシーコントローラは、サービスフロー識別子を運ぶ転送ポリシーを第1の転送プレーンネットワーク要素に配信することができ、その結果、第1のサービスネットワーク要素は、転送ポリシーに基づいて、サービスフロー識別子に対応するサービスパケットを転送し、制御プレーンもしくは転送ポリシーコントローラは、サービスフロー識別子を運ぶ転送ポリシーを第1のサービスネットワーク要素に配信することができ、その結果、第1の転送プレーンネットワーク要素が、転送ポリシーに基づいて、サービスフロー識別子に対応するサービスパケットを転送することができる、または制御プレーンもしくは転送ポリシーコントローラは、第1の転送プレーンネットワーク要素と第1のサービスネットワーク要素との間の各転送ノードに転送ポリシーをさらに配信することができ、その結果、各転送ノードが、転送ポリシーに基づいて、サービスフロー識別子に対応するサービスパケットを転送することができる。制御プレーンネットワーク要素または転送ポリシーコントローラは、上記の転送経路確立プロセスのうちの少なくとも1つを実行することができ、第1のサービスネットワーク要素、第2の転送プレーンネットワーク要素、および各転送ノードに送信される転送ポリシーは、同じであってもよいし、異なるものであってもよい。
【００７７】
場合により、制御プレーンまたは転送ポリシーコントローラは、第1の転送プレーンネットワーク要素および／または第1のサービスネットワーク要素に対する転送ポリシーを事前構成方式で構成することができる。さらに場合により、転送ポリシーは、第1の転送プレーンネットワーク要素と第1のサービスネットワーク要素との間の各転送ノードに対して事前構成方式で構成される。転送ポリシーは、次の情報、すなわち、サービスフロー識別子とパケット転送アクションとを含むことができる。サービスフロー識別子は、ユーザ端末のIP、サーバのIP、ユーザ端末のポート番号、またはサーバのポート番号のうちの少なくとも1つを含む。パケット転送アクションは、特定のポートまたは特定のリンクを介してパケットを転送することである。
【００７８】
第1の転送プレーンネットワーク要素と制御プレーンネットワーク要素との間でSDNの解決策が使用される場合、ステップS103の具体的なプロセスは以下のように記述されることにも留意されたい：制御プレーンネットワーク要素は、ユーザ端末のサービスパケットを送信するために、第1のサービスネットワーク要素と第1の転送プレーンネットワーク要素との間にサービスパケット転送経路を確立する。具体的には、制御プレーンネットワーク要素は、サービスフロー識別子に対応する転送ポリシーを第1の転送プレーンネットワーク要素に配信し、転送ポリシーは、第1の転送プレーンネットワーク要素と第1のサービスネットワーク要素との間にサービスパケット転送経路を確立するために使用され、サービスフロー識別子に対応する転送ポリシーは、OpenFlowプロトコルのフローテーブルの形式で送信することができ、制御プレーンネットワーク要素は、第1のセッション確立要求を第1のサービスネットワーク要素に配信し、第1のセッション確立要求は、第1の転送プレーンネットワーク要素のIPを運ぶことができる。
【００７９】
場合により、第1のサービスネットワーク要素のIPは、制御プレーンネットワーク要素および管理システムによって判定されてもよく、具体的なプロセスは以下のとおりであり得る：制御プレーンネットワーク要素は、管理システムに識別要求を送信し、識別要求は、サービスタイプを運ぶ、またはユーザ端末の現在の位置情報およびサービスタイプを運び、サービスタイプは、ステップS101で受信された制御要求メッセージに基づいて判定される、または制御プレーンネットワーク要素によって、端末のサブスクリプション情報に基づいて判定され、次いで、管理システムは、第1のサービスネットワーク要素のIPおよび／または第1の転送プレーンネットワーク要素のIPを運ぶ識別応答メッセージを制御プレーンネットワーク要素に送信する。識別要求を受信すると、ユーザ端末にサービスを提供するのに適切である第1の転送プレーンネットワーク要素および／または第1のサービスネットワーク要素が存在しないと管理システムが判定した場合、管理システムは、ユーザ端末の現在の位置情報および／またはサービスタイプに基づいて、ユーザ端末に近接する第1の転送プレーンネットワーク要素および／または第1のサービスネットワーク要素を配備する。
【００８０】
場合により、制御要求は、ユーザ端末の現在の位置情報を運ぶことができる。制御プレーンネットワーク要素は、ユーザ端末の現在の位置情報および事前構成情報に基づいて、第1のサービスネットワーク要素を判定し、第1のサービスネットワーク要素のIPを取得することができる、またはユーザ端末の現在の位置情報および事前構成情報に基づいて、第1の転送プレーンネットワーク要素を判定し、第1の転送プレーンネットワーク要素のIPを取得することができる。
【００８１】
上記からわかるように、本発明の本実施形態では、制御プレーンネットワーク要素は、ユーザ端末のサービスパケットを送信するために、第1のサービスネットワーク要素と第1の転送プレーンネットワーク要素との間にサービスパケット転送経路を確立し、それによって、エンドツーエンドのサービスパケットルーティングメカニズムを提供する。
【００８２】
図3は、本発明の一実施形態による通信制御方法における情報交換の概略図である。図3に示すように、本発明の本実施形態は、次のネットワーク要素、すなわち、ユーザ端末UEと、第1の基地局BS1と、制御プレーンネットワーク要素と、管理システムと、第1の転送プレーンネットワーク要素と、第1のサービスネットワーク要素と、に主に関する。情報交換を実行するための具体的なステップは、S01〜S07を含む。
【００８３】
S01．ユーザ端末は、第1の基地局を介して制御プレーンネットワーク要素に制御要求を送信し、制御要求は、アクセス要求またはサービス要求であってもよく、アクセス要求は、ユーザ端末のサブスクリプション情報またはサービス指示情報を運び、サービス要求は、ユーザ端末がアクセスする特定のサービスを示すために用いるサービス指示情報を運ぶ。
【００８４】
S02．制御プレーンネットワーク要素は、第1の基地局によって送信されたアクセス要求またはサービス要求を受信した後、アクセス要求またはサービス要求に基づいて、ユーザ端末がアクセスする必要がある第1のサービスネットワーク要素とユーザ端末のIPとを判定する。
【００８５】
場合により、ステップS03において、制御プレーンネットワーク要素は、管理システムとのシグナリング交換を実行することによって、第1のサービスネットワーク要素のIPを取得する。具体的なプロセスは次のとおりである：制御プレーンネットワーク要素は、管理システムに識別要求を送信し、識別要求は、サービスタイプを運び、ユーザ端末の現在の位置情報をさらに運ぶことができ、次いで、管理システムは、第1のサービスネットワーク要素のIPおよび／または第1の転送プレーンネットワーク要素のIPを運ぶ識別応答メッセージを送信する。識別要求を受信すると、ユーザ端末にサービスを提供し得る第1の転送プレーンネットワーク要素および／または第1のサービスネットワーク要素が存在しないと管理システムが判定した場合、管理システムは、ユーザ端末の現在の位置情報および／またはサービスタイプに基づいて、ユーザ端末に近接する第1の転送プレーンネットワーク要素および／または第1のサービスネットワーク要素を配備し、対応するIPを判定する。制御要求がサービス要求である場合、第1の転送プレーンネットワーク要素が判定されている。したがって、第1の転送プレーンネットワーク要素は、構成または再判定されない場合がある。
【００８６】
場合により、ステップS04において、第1の転送プレーンネットワーク要素が管理システムによって配備または判定されない場合、制御プレーンネットワーク要素は、ユーザ端末の現在の位置情報に基づいて、ユーザ端末に転送サービスを提供する第1の転送プレーンネットワーク要素を判定でき、第1の転送プレーンネットワーク要素の対応するIPを判定することもできる。
【００８７】
制御プレーンネットワーク要素は、2つの方式でユーザ端末のIPを判定することができる。1．制御プレーンネットワーク要素は、受信した制御要求に基づいて、端末にIPアドレスを割り当てる。2．制御プレーンネットワーク要素がユーザ端末にサービスを提供する第1の転送プレーンネットワーク要素を判定した後、制御プレーンネットワーク要素は、アドレス取得要求を第1の転送プレーンネットワーク要素に送信し、第1の転送プレーンネットワーク要素は、ユーザ端末のIPを運ぶアドレス取得応答メッセージを制御プレーンネットワーク要素に送信する。制御プレーンネットワーク要素は、受信したアドレス取得応答メッセージに基づいて、ユーザ端末のIPを判定する。
【００８８】
S05．サービスパケット転送トンネルがIP in IPトンネルである場合、制御プレーンネットワーク要素は、第1のサービスネットワーク要素に第1のセッション確立要求を送信し、第1のセッション確立要求が、第1の転送プレーンネットワーク要素のIPを運び、第1のサービスネットワーク要素は、第1の転送プレーンネットワーク要素のIPを把握するために、制御プレーンネットワーク要素によって送信された第1のセッション確立要求を受信し、ユーザ端末のサービスパケットを送信するために、制御プレーンネットワーク要素を介して、第1のサービスネットワーク要素とユーザ端末に転送サービスを提供する第1の転送プレーンネットワーク要素との間にサービスパケット転送トンネルを確立する。場合により、第1のサービスネットワーク要素は、第1のセッション応答メッセージを制御プレーンネットワーク要素に送信することができる。
【００８９】
第1のセッション確立要求は、サービスフロー識別子をさらに運ぶことができ、サービスフロー識別子は、ユーザ端末のIP、ユーザ端末のポート番号、第1のサーバのIP、または第1のサーバのポート番号のうちの少なくとも1つを含むことに留意されたい。この場合、ユーザ端末のサービスパケットは、具体的には、サービスフロー識別子に対応するサービスパケットである。
【００９０】
第1の転送プレーンネットワーク要素と第1のサービスネットワーク要素との間のサービスパケット転送トンネルがGTPトンネルである場合、制御プレーンネットワーク要素は、第1のセッション確立要求を第1のサービスネットワーク要素に送信し、第1のセッション確立要求が、第1の転送プレーンネットワーク要素のTEIDを運び、制御プレーンネットワーク要素は、第1の転送プレーンネットワーク要素によって送信された第1のセッション応答メッセージを受信し、第1のセッション応答メッセージが、第1のサービスネットワーク要素のTEIDを運ぶ。
【００９１】
S06．制御プレーンネットワーク要素は、第1の転送プレーンネットワーク要素に第2のセッション確立要求を送信し、第2のセッション確立要求が、第1のサービスネットワーク要素のIPを運び、ユーザ端末のIPまたはユーザ端末のサービスパケットのサービスフロー識別子をさらに運ぶことができる。第1の制御プレーンネットワーク要素は、制御プレーンネットワーク要素によって送信された第1のセッション確立要求を受信することによって第1のサービスネットワーク要素のIPを把握することができ、ユーザ端末のサービスパケットを送信するために、ユーザ端末にサービスを提供する第1のサービスネットワーク要素に対してサービスパケット転送トンネルを確立することができる。
【００９２】
第2のセッション確立要求がサービスフロー識別子をさらに運ぶ場合、第1の転送プレーンネットワーク要素は、サービスパケット転送トンネルを介して、サービスフロー識別子に対応するサービスパケットを転送することができる。サービスフロー識別子は、ユーザ端末のIP、ユーザ端末のポート番号、第1のサーバのIP、または第1のサーバのポート番号のうちの少なくとも1つを含む。
【００９３】
場合により、第1の転送プレーンネットワーク要素は、第2のセッション応答メッセージを制御プレーンネットワーク要素に送信することができる。第1の基地局と第1の転送プレーンネットワーク要素との間のトンネルがIP in IPトンネルである場合、第2のセッション確立要求は、第1の基地局のIPを運び、第1の基地局と第1の転送プレーンネットワーク要素との間のトンネルがGTPトンネルである場合、第2のセッション確立要求は、第1の基地局のTEIDをさらに運ぶ。
【００９４】
本発明の本実施形態では、ステップS05およびS06において、制御プレーンネットワーク要素は、第1の転送プレーンネットワーク要素および第1のサービスネットワーク要素とのシグナリング交換を実行し、第1の転送プレーンネットワーク要素と第1のサービスネットワーク要素との間のサービスパケット転送トンネルは、制御プレーンネットワーク要素によって送信された第1のセッション確立要求および第2のセッション確立要求を使用することによって確立される。
【００９５】
第1の転送プレーンネットワーク要素と第1のサービスネットワーク要素との間にGTPトンネルが使用されていない場合、ステップS05とS06との間に実行の順番は存在しなくてもよい。
【００９６】
S07．第1の基地局およびユーザ端末は、第1の基地局と第1の転送プレーンネットワーク要素との間におけるトンネルの確立および第1の基地局とユーザ端末との間の無線リソース構成を完了するために、シグナリング交換を実行し、その結果、ユーザ端末は、ネットワークに正常にアクセスできる。
【００９７】
サービスパケット転送トンネルが正常に確立された後、第1のサービスネットワーク要素は、サービスパケット転送トンネルを介して、第1の転送プレーンネットワーク要素によって転送されるユーザ端末のサービスパケットを受信してもよいし、サービスパケット転送トンネルを介して、ユーザ端末のサービスパケットを送信してもよい。第1の転送プレーンネットワーク要素は、サービスパケット転送トンネルを介して、ユーザ端末のサービスパケットを送信してもよい。例えば、IP in IPトンネルは、第1の転送プレーンネットワーク要素と第1のサービスネットワーク要素との間で使用される。具体的には、第1の転送プレーンネットワーク要素は、ユーザ端末のアップリンクサービスパケットを受信し、アップリンクサービスパケットの送信元IPはユーザ端末のIPであり、アップリンクサービスパケットの宛先IPは第1のサーバのIPである。第1の転送プレーンネットワーク要素は、サービスフロー識別子とサービスパケット転送トンネルとの間の確立された対応関係およびアップリンクサービスパケットのサービスフロー識別子に基づいて、アップリンクサービスパケットに対応するサービスパケット転送トンネルを判定し、アップリンクサービスパケットに対してIP in IPトンネルカプセル化を実行し、カプセル化されたアップリンクサービスパケットの送信元IPが第1の転送プレーンネットワーク要素のIPであり、宛先IPが第1のサービスネットワーク要素のIPであり、カプセル化されたアップリンクサービスパケットを転送する。第1の転送プレーンネットワーク要素と第1のサービスネットワーク要素との間のトンネルを介して、第1のサーバによって送信されたダウンリンクパケットを処理するプロセスは、ユーザ端末によって送信されたアップリンクパケットを処理するプロセスと同様であり、ここでは説明しない。
【００９８】
上記からわかるように、本発明の本実施形態では、制御プレーンネットワーク要素は、ユーザ端末のサービスパケットを送信するために、第1のサービスネットワーク要素と第1の転送プレーンネットワーク要素との間にサービスパケット転送経路を確立し、それによって、エンドツーエンドのサービスパケットルーティングメカニズムを提供する。
【００９９】
図4は、本発明の一実施形態による別の通信制御方法の概略的な流れ図である。図4に示すように、本発明の本実施形態によって提供される別の通信制御方法は、ステップS201〜S208を含むことができる。
【０１００】
S201．第1の基地局を介してネットワークにアクセスするユーザ端末に関連する制御要求を受信し、制御要求に基づいて、ユーザ端末にサービスを提供する第1のサービスネットワーク要素を判定する。
【０１０１】
具体的には、制御プレーンネットワーク要素が、第1の基地局を介してネットワークにアクセスするユーザ端末に関連する制御要求を受信し、制御要求に基づいて、ユーザ端末にサービスを提供する第1のサービスネットワーク要素を判定する。第1のサービスネットワーク要素は、ユーザ端末にサービスを提供する第1のサーバまたは第1のサーバのサービスアクセスネットワーク要素である。制御要求は、アクセス要求またはサービス要求である。本発明の本実施形態では、ユーザ端末は、基地局またはサービス機能開示プラットフォームを介して、ユーザ端末に関連する制御要求を制御プレーンネットワーク要素に送信してもよいし、ホーム加入者サーバのサブスクリプションデータの変更に基づいて、ユーザ端末に関連する制御要求を制御プレーンネットワーク要素に送信してもよい。制御要求はアクセス要求またはサービス要求であってもよく、アクセス要求は、端末のサービス指示情報および端末の現在の位置情報を場合により運ぶことができ、サービス要求は、ユーザ端末がアクセスする特定のサービスを示すために用いるサービス指示情報を運ぶ。制御プレーンネットワーク要素は、第1の基地局を介してネットワークにアクセスするユーザ端末に関連する制御要求を受信した後、制御要求のサービス指示情報などに基づいて、ユーザ端末にサービスを提供する第1のサービスネットワーク要素を判定し得る。第1のサービスネットワーク要素は、ユーザ端末にサービスを提供するサーバまたはUEにサービスを提供するサーバのサービスアクセスネットワーク要素を含む。本発明の本実施形態では、制御プレーンネットワーク要素は、第1の基地局と第1の転送プレーンネットワーク要素との間の経路、および第1の転送プレーンネットワーク要素と第1のサービスネットワーク要素との間の経路の確立を完了する必要がある。
【０１０２】
S202．ユーザ端末に転送サービスを提供する第1の転送プレーンネットワーク要素を判定する。
【０１０３】
具体的には、制御プレーンネットワーク要素は、ユーザ端末に転送サービスを提供する第1の転送プレーンネットワーク要素を判定する。  本発明の本実施形態では、制御プレーンネットワーク要素は、複数の配備された転送プレーンネットワーク要素から、ユーザ端末の現在の位置または端末にアクセスサービスを提供する基地局の現在の位置とサービスタイプとに基づいて、ユーザ端末に転送サービスを提供する第1の転送プレーンネットワーク要素を判定し得る。制御プレーンネットワーク要素はまた、識別要求を管理システムに送信してもよい。ユーザ端末にサービスを提供するのに適切である第1の転送プレーンネットワーク要素が存在しないと管理システムが判定した場合、管理システムは、ユーザ端末の現在の位置情報およびサービスタイプに基づいて、ユーザ端末に近接する第1の転送プレーンネットワーク要素を配備する。管理システムは、ユーザ端末にアクセスサービスを提供する基地局の現在の位置情報および／またはサービスタイプに基づいて、ユーザ端末に近接する第1の転送プレーンネットワーク要素をさらに配備することができる。
【０１０４】
S203．管理システムに識別要求を送信し、その結果、管理システムが、第1の転送プレーンネットワーク要素のIPおよび／または第1のサービスネットワーク要素のIPを運ぶ識別応答メッセージを返す。
【０１０５】
S204．管理システムによって送信された識別応答メッセージを受信した場合、識別応答メッセージから第1の転送プレーンネットワーク要素のIPおよび／または第1のサービスネットワーク要素のIPを取得する。
【０１０６】
具体的には、制御プレーンネットワーク要素は、管理システムに識別要求を送信し、その結果、管理システムが、第1の転送プレーンネットワーク要素のIPおよび／または第1のサービスネットワーク要素のIPを運ぶ識別応答メッセージを返す。本発明の本実施形態では、制御プレーンネットワーク要素は、識別要求を管理システムに送信し、識別要求は、サービスタイプと位置情報とを含む。管理システムは、MANO、MEC、またはサービス機能開示プラットフォームであってもよい。識別要求を受信した後、管理システムは、識別子情報に基づいて、第1の転送プレーンネットワーク要素のIPおよび／または第1のサービスネットワーク要素のIPを取得し、第1の転送プレーンネットワーク要素のIPおよび／または第1のサービスネットワーク要素のIPを運ぶ識別応答メッセージを制御プレーンネットワーク要素に送信する。制御プレーンネットワーク要素は、管理システムによって送信された識別応答メッセージを受信し、識別応答メッセージから第1の転送プレーンネットワーク要素のIPおよび／または第1のサービスネットワーク要素のIPを取得する。
【０１０７】
場合により、第1の転送プレーンネットワーク要素および／または第1のサービスネットワーク要素は、識別要求に基づいて管理システムによって構成される。ユーザ端末にサービスを提供し得る第1の転送プレーンネットワーク要素および／または第1のサービスネットワーク要素が存在しないと管理システムが判定した場合、管理システムは、ユーザ端末の現在の位置情報およびサービスタイプに基づいて、ユーザ端末に近接する第1の転送プレーンネットワーク要素および／または第1のサービスネットワーク要素を配備し、配備中に、第1の転送プレーンネットワーク要素および／または第1のサービスネットワーク要素にIPを割り当てることもできる。
【０１０８】
さらに場合により、制御要求は、ユーザ端末の現在の位置情報を運ぶ。第1の転送プレーンネットワーク要素および／または第1のサービスネットワーク要素は、ユーザ端末の現在の位置情報および事前構成情報に基づいて判定され、第1の転送プレーンネットワーク要素のIPおよび／または第1のサービスネットワーク要素のIPが取得される。制御プレーンネットワーク要素によって受信された制御要求は、ユーザの現在の位置情報を運ぶ。第1の転送プレーンネットワーク要素および／または第1のサービスネットワーク要素の関連情報は、ユーザ端末の現在の位置情報および制御プレーンネットワーク要素の事前設定に基づいて構成され、第1の転送プレーンネットワーク要素のIPおよび／または第1のサービスネットワーク要素のIPが判定される。
【０１０９】
S205．第1のセッション確立要求を第1のサービスネットワーク要素に送信し、第2のセッション確立要求を第1の転送プレーンネットワーク要素に送信する。
【０１１０】
具体的には、制御プレーンネットワーク要素は、第1のセッション確立要求を第1のサービスネットワーク要素に送信し、第2のセッション確立要求を第1の転送プレーンネットワーク要素に送信し、その結果、第1のサービスネットワーク要素が第1の転送プレーンネットワーク要素のIPを取得し、第1の転送プレーンネットワーク要素が第1のサービスネットワーク要素のIPを取得する。本発明の本実施形態では、トンネルは、ユーザ端末のサービスパケットを送信するために使用され、第1のセッション確立要求は第1の転送プレーンネットワーク要素のIPを運び、第2のセッション確立要求は第1のサービスネットワーク要素のIPを運び、第1のサービスネットワーク要素のIPが、第1のサーバのアクセスIPまたは第1のサービスアクセスネットワーク要素のIPである。制御プレーンネットワーク要素は、第1の転送プレーンネットワーク要素と第1のサービスネットワーク要素との間にサービスパケット転送トンネルを実装するために、第1の転送プレーンネットワーク要素および第1のサービスネットワーク要素とシグナリングを交換する。第1のセッション確立要求が、第1のサービスネットワーク要素に送信され、第2のセッション確立要求が、ユーザ端末に転送サービスを提供する第1の転送プレーンネットワーク要素に送信され、その結果、IP in IPトンネルを確立するために、第1のサービスネットワーク要素および転送プレーンネットワーク要素が、お互いのIPを把握する。
【０１１１】
トンネルは、IP in IPトンネルに加えて、GTPトンネルまたはGREトンネルであってもよいため、トンネルがGTPトンネルである場合、第1のサービスネットワーク要素と第1の転送プレーンネットワーク要素との間にトンネルを確立するプロセスは、以下のとおりである：制御プレーンネットワーク要素は、第1のセッション確立要求を第1のサービスネットワーク要素に送信し、第1のセッション確立要求が第1の転送プレーンネットワーク要素のIPおよび第1の転送プレーンネットワーク要素のトンネルエンドポイント識別子（Tunnel Endpoint Identifier、TEID）を運び、第1のサービスネットワーク要素は、第1のセッション応答メッセージを制御プレーンネットワーク要素に送信し、第1のセッション応答メッセージが第1のサービスネットワーク要素のエンドポイント識別子を運び、制御プレーンネットワーク要素は、第2のセッション確立要求を第1の転送プレーンネットワーク要素に送信し、第2のセッション応答メッセージが第1のサービスネットワーク要素のIPとトンネルエンドポイント識別子TEIDとを運ぶ。
【０１１２】
本実施形態および後続の実施形態では、例えば、サービスネットワーク要素と転送プレーンネットワーク要素との間の転送経路が転送トンネルであることに留意されたい。場合により、サービスネットワーク要素と転送プレーンネットワーク要素との間の転送経路は、サービスフロー識別子に対応する転送ポリシーなどの他の方式で、例えば転送ポリシーに基づくマルチホップ転送方式またはサービスチェイニング方式でさらに実装することができる。
【０１１３】
第1の転送プレーンネットワーク要素と制御プレーンネットワーク要素との間でSDNの解決策が使用されるとき、第1のサービスネットワーク要素とユーザ端末に転送サービスを提供する第1の転送プレーンネットワーク要素との間にサービスパケット転送トンネルを確立することは、以下の記述で置き換えられてもよいことに留意されたい：制御プレーンネットワーク要素は、ユーザ端末のサービスパケットを送信するために、第1のサービスネットワーク要素とユーザ端末に転送サービスを提供する第1の転送プレーンネットワーク要素との間にサービスパケット転送経路を確立する。具体的には、制御プレーンネットワーク要素は、サービスフロー識別子に対応する転送ポリシーを第1の転送プレーンネットワーク要素に配信し、転送ポリシーは、第1の転送プレーンネットワーク要素と第1のサービスネットワーク要素との間にサービスパケット転送経路を確立するために使用され、サービスフロー識別子に対応する転送ポリシーは、OpenFlowプロトコルのフローテーブルの形式で配信することができ、制御プレーンネットワーク要素は、第1のセッション確立要求を第1のサービスネットワーク要素に配信し、第1のセッション確立要求は、第1の転送プレーンネットワーク要素のIPを運ぶ。
【０１１４】
場合により、第2のセッション確立要求および／または第1のセッション確立要求は、サービスフロー識別子をさらに運び、その結果、第1の転送プレーンネットワーク要素は、サービスパケット転送トンネルを介して、サービスフロー識別子に対応するサービスパケットを転送し、サービスフロー識別子は、サービスパケットにおけるユーザ端末のIP、ユーザ端末のポート番号、サーバのIP、またはサーバのポート番号である。
【０１１５】
S206．ユーザ端末が第1の基地局から第2の基地局にハンドオーバされた場合、ユーザ端末のハンドオーバ通知を受信し、ユーザ端末のサービスパケットを送信するために、ハンドオーバ後にユーザ端末にサービスを提供する第2のサービスネットワーク要素とハンドオーバ後にユーザ端末に転送サービスを提供する第2の転送プレーンネットワーク要素との間に新しいサービスパケット転送経路を確立する。
【０１１６】
具体的には、ユーザ端末が第1の基地局から第2の基地局にハンドオーバされた場合、制御プレーンネットワーク要素は、ユーザ端末のハンドオーバ通知を受信し、ユーザ端末のサービスパケットを送信するために、ハンドオーバ後にユーザ端末にサービスを提供する第2のサービスネットワーク要素とハンドオーバ後にユーザ端末に転送サービスを提供する第2の転送プレーンネットワーク要素との間に新しいサービスパケット転送経路を確立し、第2のサービスネットワーク要素が第2のサーバまたは第2のサーバのサービスアクセスネットワーク要素である。本発明の本実施形態では、ユーザ端末が移動している。ユーザ端末がある場所から別の場所に移動すると、ユーザ端末が通信可能に接続されている第1の基地局は、ユーザ端末によって定期的に送信された測定報告を受信し、測定報告に基づいて、ハンドオーバを実行する必要があるか否かを判定し、第2の基地局を判定する。第1の基地局は第2の基地局にハンドオーバ要求を送信し、その結果、第2の基地局は、ハンドオーバ確認応答メッセージを第1の基地局にフィードバックし、ハンドオーバ通知を制御プレーンネットワーク要素に送信する。制御プレーンネットワーク要素は、ユーザ端末のハンドオーバ通知を受信し、ユーザ端末のサービスパケットを送信するために、ハンドオーバ後にユーザ端末にサービスを提供する第2のサービスネットワーク要素とハンドオーバ後にユーザ端末に転送サービスを提供する第2の転送プレーンネットワーク要素との間に新しいサービスパケット転送経路を確立する。新しいサービスパケット転送経路を確立するプロセスおよび原理は、最初のサービスパケット転送経路を確立するプロセスおよび原理と同じである。説明のための例として、サービスフロー識別子に対応する転送トンネルを用いる。具体的なプロセスは以下のとおりである：管理システムがネットワークアーキテクチャ内に存在する場合、制御プレーンネットワーク要素は、ハンドオーバ通知メッセージを管理システムに送信し、管理システムは、ハンドオーバ通知メッセージに基づいて、ユーザ端末にサービスを提供するのに適切である第2のサービスネットワーク要素および／または第2の転送プレーンネットワーク要素がネットワークアーキテクチャ内に存在するか否かを判定し、第2のサービスネットワーク要素などのネットワーク要素のうちの1つまたは2つが存在しない場合、管理システムは、ユーザ端末の現在の位置情報に基づいて、近接する第2のサービスネットワーク要素を配備することができる。あるいは、制御プレーンネットワーク要素は、ユーザ端末の現在の位置情報および事前構成情報に基づいて、第2のサービスネットワーク要素および／または第2の転送プレーンネットワーク要素を判定し、次いで、制御プレーンネットワーク要素は、第2のサービスネットワーク要素に第1のセッション要求を送信し、第1のセッション要求は、第2の転送プレーンネットワーク要素のIPを運び、制御プレーンネットワーク要素は、第2のセッション要求を第2の転送プレーンネットワーク要素に送信し、第2のセッション要求が第2のセッションネットワーク要素のIPを運び、その結果、新しいサービスパケット転送トンネルを確立するために、第2の転送ネットワーク要素と第2��サービスネットワーク要素とが互いにIPを把握する。
【０１１７】
場合により、第1の基地局から第2の基地局へのハンドオーバ中に、サービスネットワーク要素が第1の転送プレーンネットワーク要素を介して第1の基地局にダウンリンクパケットを送信する場合、第1の基地局は、バッファリングのために第2の基地局にダウンリンクパケットを転送してもよい。ハンドオーバが完了した後、すなわち、第2の基地局とユーザ端末との間に通信接続が確立された後、第2の基地局は、バッファリングしたダウンリンクパケットをユーザ端末に送信する。
【０１１８】
場合により、第1の基地局から第2の基地局へのハンドオーバの後、かつ新しいサービスパケット転送経路、すなわち第2の転送プレーンネットワーク要素と第2のサービスネットワーク要素との間のサービスパケット転送経路の確立中に、ユーザ端末が、パケットロスを避けるために、アップリンクパケットを第2の基地局に送信する場合、第2の基地局は、アップリンクパケットをバッファリングし、新しいサービスパケット転送経路が確立されるまでアップリンクパケットを第2のサービスネットワーク要素に送信しない。
【０１１９】
S207．第1のサーバにコンテキスト転送要求を送信し、その結果、第1のサーバが、ユーザ端末に関連するサービスコンテキスト情報を第2のサーバに転送する。
【０１２０】
具体的には、制御プレーンネットワーク要素は、コンテキスト転送要求を第1のサーバに送信し、その結果、第1のサーバが、ユーザ端末に関連するサービスコンテキスト情報を第2のサーバに転送する。本発明の本実施形態では、ハンドオーバプロセスは、基地局間のハンドオーバと経路確立とを含み、サーバ間のコンテキスト転送をさらに含む。ユーザ端末が第1の基地局から第2の基地局にハンドオーバされると、制御プレーンネットワーク要素は、受信したハンドオーバ通知に基づいて、コンテキスト転送要求を第1のサーバに送信し、その結果、第1のサーバが、ユーザ端末に関連するサービスコンテキスト情報を第2のサーバに転送する。コンテキスト転送要求は、第2のサーバのIPを運び、第2のサーバのIPに加えて別のサービスフロー識別子をさらに運ぶことができる。ユーザ端末のための第1のサーバによるコンテキスト転送の仕方において、ユーザのサービスコンテキストは、異種メディア間ハンドオーバ（Media Independent Handover、MIH）またはRestfulなどのプロトコルを使用して第2のサーバに送信され得る。
【０１２１】
場合により、制御プレーンネットワーク要素は、管理システムを介して第1のサーバにコンテキスト転送要求を送信する。第1のサーバは、コンテキスト転送要求に基づいて、ユーザ端末に関連するサービスコンテキスト情報を第2のサーバに転送する。
【０１２２】
場合により、ステップS207は、第1のサーバ全体をターゲット位置に配備されたサーバに移送するために、仮想マシン移送またはDocker移送などの方式で置き換えることができる。この方式は、第1のサーバがハンドオーバされる単一のユーザまたは単一のユーザグループのみにサービスを提供し、制御プレーンネットワーク要素が、管理システムへの要求を開始し得るシナリオに適しており、要求が新しい配備場所の指示を運び、その結果、管理システムが仮想マシンまたはDockerの方式で第1のサーバを新しい場所に移送する。
【０１２３】
S208．第1のサーバによって送信されたコンテキスト転送確認応答メッセージを受信した場合、第1の転送プレーンネットワーク要素にセッション削除要求メッセージを送信し、その結果、第1の転送プレーンネットワーク要素が、セッション削除要求に基づいて、ユーザ端末に関連するサービスコンテキスト情報を削除する。
【０１２４】
場合により、制御プレーンネットワーク要素は、管理システムを介して第1のサーバによって送信されたコンテキスト転送確認応答メッセージを受信する。具体的には、第1のサーバは、コンテキスト転送確認応答メッセージを管理システムに送信し、管理システムは、コンテキスト転送確認応答メッセージを制御プレーンネットワーク要素に転送する。
【０１２５】
具体的には、第1のサーバによって送信された、または管理システムによって転送されたコンテキスト転送確認応答メッセージを受信した場合、制御プレーンネットワーク要素は、第1の転送プレーンネットワーク要素にセッション削除要求メッセージを送信し、その結果、第1の転送プレーンネットワーク要素は、セッション削除要求に基づいて、ユーザ端末に関連するサービスコンテキスト情報を削除する。本発明の本実施形態では、コンテキスト転送を完了した後、第1のサーバは、コンテキスト転送確認応答メッセージを制御プレーンネットワーク要素に送信し、制御プレーンネットワーク要素が第1のサーバによって送信されたコンテキスト転送確認応答メッセージを受信した場合、制御プレーンネットワーク要素は、セッション削除要求メッセージを第1の転送プレーンネットワーク要素に送信し、セッション削除要求メッセージを受信した後、第1の転送プレーンネットワーク要素は、ベアラコンテキストなどのユーザ端末に関連するサービスコンテキスト情報を削除し、制御プレーンネットワーク要素にセッション削除応答メッセージを送信する。上記のプロセスにおけるコンテキスト転送確認応答メッセージは、管理システムによって転送されてもよい。場合により、第2の基地局が第1の基地局によって送信されたエンドパケットメッセージを受信した後、第2の基地局は、リソース解放メッセージを第1の基地局に送信し、パケットメッセージは、そのパケットが第1の基地局によって第2の基地局に送信された最後のパケットメッセージであることを示すために使用される、End markerデータパケットであり得る。リソース解放メッセージは、無線ベアラコンテキストなど、ユーザ端末に関連するリソースを解放するように第1の基地局をトリガするために使用される。本発明の本実施形態では、ステップS206およびステップS207は、相互に入れ替えられてもよいし、並行して実行されてもよい。
【０１２６】
場合により、SDNの解決策が第1の転送プレーンネットワーク要素と制御プレーンネットワーク要素との間で使用される場合、セッション削除要求は、第1の転送プレーンネットワーク要素と、第1の転送プレーンネットワーク要素上の第1のサービスネットワーク要素との間の転送経路を除去するために、OpenFlowプロトコルのフローテーブルの形式で配信され得る。
【０１２７】
上記からわかるように、本発明の本実施形態では、制御プレーンネットワーク要素は、ユーザ端末のサービスパケットを送信するために、ハンドオーバ後の第2のサービスネットワーク要素とハンドオーバ後の第2の転送プレーンネットワーク要素との間に新しいサービスパケット転送経路を確立する。これにより、ユーザ端末の移動プロセスにおけるIPセッションの連続性が確保され、移動後にユーザ端末の通信リンクが比較的長くなるという不都合が解消され、通信レイテンシが短縮される。制御プレーンネットワーク要素は、サービスコンテキスト情報を転送するために、第1のサーバにコンテキスト転送要求を送信し、それによって、ハンドオーバがロスレスであることを確保する。
【０１２８】
図5は、本発明の一実施形態による別の通信制御方法における情報交換の概略図である。図5に示すように、本発明の本実施形態は、次のネットワーク要素、すなわち、ユーザ端末UEと、第1の基地局BS1と、制御プレーンネットワーク要素と、管理システムと、第1の転送プレーンネットワーク要素と、第1のサービスネットワーク要素と、第2の転送プレーンネットワーク要素と、第2のサービスネットワーク要素と、第2の基地局BS2と、に主に関する。情報交換を実行するための具体的なステップは、S11〜S111を含む。S11〜S14は、第1の基地局から第2の基地局へのハンドオーバのプロセスであり、S15〜S17は、制御プレーンネットワーク要素により、第2の転送プレーンネットワーク要素のIPおよび／または第2のサービスネットワーク要素のIPを取得するプロセスであり、S18〜S113は、サーバによるコンテキスト転送およびユーザ端末に関連するリソースの解放のプロセスであり、S114〜S119は、主に、第2の基地局と第2の転送プレーンネットワーク要素との間のサービスパケット転送経路、ならびに第2のサービスネットワーク要素と第2の転送プレーンネットワーク要素との間のサービスパケット転送経路を確立するプロセスである。例えば、本実施形態におけるサービスパケット転送経路の単位は、本実施形態ではユーザ毎であることに留意されたい。
【０１２９】
S11．ユーザ端末はハンドオーバ測定報告を第1の基地局に送信し、第1の基地局は測定報告に基づいて第2の基地局を判定する。
【０１３０】
S12．第1の基地局は第2の基地局にハンドオーバ要求を送信し、その結果、第2の基地局は、ハンドオーバ確認応答メッセージを第1の基地局に送信する。
【０１３１】
S13．第1の基地局は、無線リソース構成メッセージをユーザ端末に送信する。
【０１３２】
S14．ユーザ端末は、ユーザ端末と第1の基地局との間の接続を切断し、第2の基地局への接続を確立する。
【０１３３】
S15．第2の基地局は、制御プレーンネットワーク要素を介して管理システムにハンドオーバ通知メッセージを送信し、ハンドオーバ通知メッセージは、ユーザ端末の現在の位置情報を運ぶことができる。
【０１３４】
場合により、ステップS16において、ハンドオーバ通知メッセージを受信した後、ユーザ端末にサービスを提供し得る第2の転送プレーンネットワーク要素および／または第2のサービスネットワーク要素が存在しないと管理システムが判定した場合、管理システムは、ユーザ端末の現在の位置に基づいて、ユーザ端末に近接する第2の転送プレーンネットワーク要素および／または第2のサービスネットワーク要素を配備する。第2の転送プレーンネットワーク要素は、第1の転送プレーンネットワーク要素と同じであっても異なっていてもよい。第2のサービスネットワーク要素は、第1のサービスネットワーク要素と同じであっても異なっていてもよい。
【０１３５】
S17．管理システムは、ハンドオーバ通知応答メッセージを制御プレーンネットワーク要素に送信し、ハンドオーバ通知応答メッセージは、第2の転送プレーンネットワーク要素のIPおよび／または第2のサービスネットワーク要素のIPを運ぶ。
【０１３６】
S12の後にS15が行われてもよいし、ステップS13およびS14と並行してステップS15〜S17が実行されてもよいことに留意されたい。
【０１３７】
S18．  制御プレーンネットワーク要素は、コンテキスト転送要求を第1のサーバに送信し、コンテキスト転送要求は、第2のサーバのIPとユーザ端末のIPとを運ぶ。
【０１３８】
S19．コンテキスト転送要求を受信した後、第1のサーバは、ユーザ端末のサービスの処理を停止し、第1のサーバから第2のサーバへサービスコンテキストを転送するために、第2のサーバとの情報交換を実行する。
【０１３９】
上記のステップS18およびS19において、第1のサーバ上のサービスコンテキストは、異種メディア間ハンドオーバ（Media Independent Handover、MIH）またはRestfulなどのプロトコルを使用して第2のサーバに送信されてもよいし、第1のサーバ上のサービスコンテキストは、別の方式で転送されてもよい。具体的には、第1のサーバ全体が、仮想マシン移送またはDocker移送の方式で、新しく配備されたサーバの場所に移送される。
【０１４０】
S110．第1のサーバ上のサービスコンテキストを転送した後、第1のサーバは、コンテキスト転送確認応答メッセージを制御プレーンネットワーク要素に送信する。
【０１４１】
S111．コンテキスト転送確認応答メッセージを受信した後、制御プレーンネットワーク要素は、セッション削除要求を第1の転送プレーンネットワーク要素に送信する。
【０１４２】
S112．第1の転送プレーンネットワーク要素は、セッション削除要求を受信し、ベアラコンテキストなどのユーザ端末に関連するサービスコンテキスト情報を削除し、セッション削除応答メッセージを制御プレーンネットワーク要素に送信する。
【０１４３】
S113．第2の基地局が第1の基地局のエンドパケットを受信した場合、第2の基地局は、リソース解放メッセージを第1の基地局に送信し、エンドパケットはEnd markerパケットであり得、エンドパケットはパケットが第1の基地局によって第2の基地局に送信された最後のパケットであることを示し、リソース解放メッセージは、ユーザ端末に関連するリソース、例えば無線ベアラコンテキストを解放するように第1の基地局をトリガするために使用される。
【０１４４】
本実施形態では、第2の基地局と第2の転送プレーンネットワーク要素との間の経路、および第2の転送プレーンネットワーク要素と第2のサービスネットワーク要素との間の経路はIP in IPトンネルであると仮定する。加えて、転送プレーンネットワーク要素とサービスネットワーク要素との間のトンネルの単位はユーザ毎であると仮定する。
【０１４５】
S114．制御プレーンネットワーク要素は、第2の転送プレーンネットワーク要素に第2のセッション確立要求を送信し、第2のセッション確立要求が、ユーザ端末のIP、第2の基地局のIP、および第2のサービスサーバのIPを運ぶ。第2の転送プレーンネットワーク要素は、第2のセッション確立要求を受信することによって、ユーザ端末のIP、第2の基地局のIP、および第2のサービスサーバのIPを取得することができる。第2の転送プレーンネットワーク要素は、ユーザ端末のサービスパケットを送信するために、制御プレーンネットワーク要素を介して、ユーザ端末に転送サービスを提供する第2の転送プレーンネットワーク要素へのサービスパケット転送トンネルを確立する。
【０１４６】
場合により、ステップS115において、第2の転送プレーンネットワーク要素は、第2のセッション応答メッセージを制御プレーンネットワーク要素に送信する。
【０１４７】
S116．制御プレーンネットワーク要素は、第3のセッション確立要求を第2の基地局に送信し、第3のセッション確立要求は、第2の転送プレーンネットワーク要素のIPを運ぶ。第3のセッション確立要求は、ユーザ端末のIPをさらに運んでもよい。
【０１４８】
場合により、ステップS117において、第2の基地局は、第3のセッション応答メッセージを制御プレーンネットワーク要素に送信する。
【０１４９】
S118．制御プレーンネットワーク要素は、第1のセッション確立要求を第2のサービスネットワーク要素に送信し、第1のセッション確立要求は、第2の転送プレーンネットワーク要素のIPを運ぶ。第2の転送プレーンネットワーク要素は、第2のセッション確立要求を受信することによって、第2の転送プレーンネットワーク要素のIPを取得することができる。第2の転送プレーンネットワーク要素は、ユーザ端末のサービスパケットを送信するために、第2の転送プレーンネットワーク要素とユーザ端末にサービスを提供する第2のサービスネットワーク要素との間にサービスパケット転送トンネルを確立することができる。
【０１５０】
第1のセッション確立要求は、ユーザ端末のIPをさらに運んでもよい。
【０１５１】
場合により、ステップS119において、第2のサービスネットワーク要素は、第1のセッション応答メッセージを制御プレーンネットワーク要素に送信する。
【０１５２】
本実施形態では、S110の後にS114が行われてもよいし、ステップS114〜S119と並行してステップS111〜S113が実行されてもよいことに留意されたい。加えて、上記ステップS114、ステップS116、およびステップS118は、ランダムな順番で行われてもよいし、並行して実行されてもよい。本発明の本実施形態におけるステップ114〜S119はまた、第1の基地局と第1の転送プレーンネットワーク要素との間のIP in IPトンネル、および第1の転送プレーンネットワーク要素と第1のサービスネットワーク要素との間のIP in IPトンネルの確立に適用できる。
【０１５３】
第2の基地局と第2の転送プレーンネットワーク要素との間および第2の転送プレーンネットワーク要素と第2のサービスネットワーク要素との間のトンネルが両方ともGTPトンネルである場合、制御と転送とがゲートウェイ上で分離されているシナリオを、本実施形態における説明のための例として用いると、ステップS114〜S119を以下の記述に変更すべきである。
【０１５４】
S114．制御プレーンネットワーク要素は、第1のセッション確立要求を第2のサービスネットワーク要素に送信し、第1のセッション確立要求は、第2の転送プレーンネットワーク要素のIPと第2の転送プレーンネットワーク要素のTEIDとを運ぶ。
【０１５５】
S115．第2のサービスネットワーク要素は、第1のセッション応答メッセージを制御プレーンネットワーク要素に送信し、第1のセッション応答メッセージは、第2のサービスネットワーク要素のTEIDを運ぶ。
【０１５６】
第1のセッション応答メッセージは、第2のサービスネットワーク要素のIPをさらに運ぶことができる。
【０１５７】
S116．制御プレーンネットワーク要素は、第3のセッション確立要求を第2の基地局に送信し、第3のセッション確立要求は、第2の転送プレーンネットワーク要素のIPと第2の転送プレーンネットワーク要素のTEIDとを運ぶ。
【０１５８】
S117．第2の基地局は、第3のセッション応答メッセージを制御プレーンネットワーク要素に送信し、第3のセッション応答メッセージは、第2の基地局のTEIDを運ぶ。
【０１５９】
第3のセッション応答メッセージは、第2の基地局のIPをさらに運ぶことができる。
【０１６０】
ステップS114における第1のセッション確立要求およびステップS116における第3のセッション確立要求は、ユーザ端末のIPをさらに運んでもよい。
【０１６１】
S118．制御プレーンネットワーク要素は、第2の転送プレーンネットワーク要素に第2のセッション確立要求を送信し、第2のセッション確立要求が、ユーザ端末のIP、第2の基地局のIP、第2の基地局のTEID、第2のサービスサーバのIP、および第2のサービスネットワーク要素のTEIDを運ぶ。
【０１６２】
場合により、ステップS119において、第2の転送プレーンネットワーク要素は、第2のセッション応答メッセージを制御プレーンネットワーク要素に送信する。
【０１６３】
別の実装では、ステップS118の後にステップS116が実行される場合、すなわち実行の順番がステップS114、ステップS118、およびステップS116である場合には、ステップS118を修正する必要があり、ステップS116の後に2つのステップが追加される。修正されるプロセスは、具体的には以下のとおりである：ステップS118において、第2のセッション確立要求は、ユーザ端末のIP、第2のサービスサーバのIP、および第2のサービスネットワーク要素のTEIDを運び、ステップS119において、制御プレーンネットワーク要素は、第2の転送プレーンネットワーク要素にセッション修正要求を送信し、セッション修正要求が、ユーザ端末のIP、第2の基地局のIP、および第2の基地局のTEIDを運び、場合により、第2の転送プレーンネットワーク要素は、セッション修正応答を制御プレーンネットワーク要素に送信する。
【０１６４】
本実施形態では、第2の基地局でも制御と転送とが分離されている場合には、ステップS117において、第2の基地局のTEIDが運ばれなくてもよく、ステップS116およびステップS118は、ランダムな順番で実行されてもよく、同時に実行されてもよいことに留意されたい。本発明の本実施形態におけるステップ114〜S119はまた、第1の基地局と第1の転送プレーンネットワーク要素との間のGTPトンネル、および第1の転送プレーンネットワーク要素と第1のサービスネットワーク要素との間のGTPトンネルの確立に適用できる。
【０１６５】
基地局と転送プレーンネットワーク要素との間のトンネルおよび転送プレーンネットワーク要素とサービスネットワーク要素との間のトンネルを確立するために本実施形態によって提供される方式は、単に2つの実装であり、本実施形態は2つの実装に限定されない。方式はまた、IP in IPトンネルおよびGTPトンネル、またはIP in IPトンネルおよび／または別のトンネル、またはGTPトンネルおよび／または別のトンネルなどの組み合わせであってもよい。
【０１６６】
上記からわかるように、本発明の本実施形態では、制御プレーンネットワーク要素は、ユーザ端末のサービスパケットを送信するために、ハンドオーバ後の第2のサービスネットワーク要素とハンドオーバ後の第2の転送プレーンネットワーク要素との間に新しいサービスパケット転送経路を確立する。これにより、ユーザ端末の移動プロセスにおけるIPセッションの連続性が確保され、移動後にユーザ端末の通信リンクが比較的長くなるという不都合が解消され、通信レイテンシが短縮される。第1のサーバは、ハンドオーバ中にコンテキスト情報がロスレスであることを確保するためにサービスコンテキスト情報を転送する。
【０１６７】
図6は、本発明の一実施形態による制御プレーンネットワーク要素の概略的なモジュール図である。図6に示すように、制御プレーンネットワーク要素は、受信ユニット11と、判定ユニット12と、経路確立ユニット13と、を備えることができる。
【０１６８】
受信ユニット11は、第1の基地局を介してネットワークにアクセスするユーザ端末に関連する制御要求を受信するように構成される。
【０１６９】
具体的には、受信ユニット11は、第1の基地局を介してネットワークにアクセスするユーザ端末に関連する制御要求を受信する。本発明の本実施形態では、ユーザ端末は、基地局またはサービス機能開示プラットフォームを介して、ユーザ端末に関連する制御要求を制御プレーンネットワーク要素に送信してもよいし、ホーム加入者サーバのサブスクリプションデータの変更に基づいて、ユーザ端末に関連する制御要求を制御プレーンネットワーク要素に送信してもよい。制御要求はアクセス要求またはサービス要求であってもよく、アクセス要求は、端末のサービス指示情報および端末の現在の位置情報を運び、サービス要求は、ユーザ端末がアクセスする特定のサービスを示すために用いるサービス指示情報を運ぶ。
【０１７０】
判定ユニット12は、制御要求に基づいて、ユーザ端末にサービスを提供する第1のサービスネットワーク要素を判定するように構成される。
【０１７１】
受信ユニット11が第1の基地局を介してネットワークにアクセスするユーザ端末に関連する制御要求を受信した後、判定ユニット12は、制御要求のサービス指示情報などに基づいて、ユーザ端末にサービスを提供する第1のサービスネットワーク要素を判定し得る。第1のサービスネットワーク要素は、ユーザ端末にサービスを提供する第1のサーバ、またはユーザ端末にサービスを提供する第1のサーバのサービスアクセスネットワーク要素であってもよい。本発明の本実施形態では、制御プレーンネットワーク要素は、第1の基地局と第1の転送プレーンネットワーク要素との間の経路、および第1の転送プレーンネットワーク要素と第1のサービスネットワーク要素との間の経路の確立を完了する必要がある。
【０１７２】
判定ユニット12は、ユーザ端末に転送サービスを提供する第1の転送プレーンネットワーク要素を判定するようにさらに構成される。
【０１７３】
具体的には、判定ユニット12は、ユーザ端末に転送サービスを提供する第1の転送プレーンネットワーク要素を判定する。本発明の本実施形態では、判定ユニット12は、複数の配備された転送プレーンネットワーク要素から、ユーザ端末の現在の位置または端末にアクセスサービスを提供する基地局の現在の位置とサービスタイプとに基づいて、ユーザ端末に転送サービスを提供する第1の転送プレーンネットワーク要素を判定し得る。判定ユニット12はまた、管理システムに識別要求を送信してもよい。ユーザ端末にサービスを提供するのに適切である第1の転送プレーンネットワーク要素が存在しないと管理システムが判定した場合、管理システムは、ユーザ端末の現在の位置情報および／またはサービスタイプに基づいて、ユーザ端末に近接する第1の転送プレーンネットワーク要素を配備する。管理システムは、ユーザ端末にアクセスサービスを提供する基地局の現在の位置情報および／またはサービスタイプに基づいて、ユーザ端末に近接する第1の転送プレーンネットワーク要素をさらに配備することができる。
【０１７４】
経路確立ユニット13は、ユーザ端末のサービスパケットを送信するために、第1のサービスネットワーク要素と第1の転送プレーンネットワーク要素との間にサービスパケット転送経路を確立するように構成される。
【０１７５】
具体的には、経路確立ユニット13は、ユーザ端末のサービスパケットを送信するために、第1のサービスネットワーク要素と第1の転送プレーンネットワーク要素との間にサービスパケット転送経路を確立する。本発明の本実施形態では、経路確立ユニット13は、ユーザ端末のサービスパケットを送信するために、転送プレーンネットワーク要素およびサービスネットワーク要素とシグナリングを交換することによって、第1のサービスネットワーク要素とユーザ端末に転送サービスを提供する第1の転送プレーンネットワーク要素との間でサービスパケット転送経路を確立することができる。サービスパケット転送経路は、サービスフロー識別子に対応する転送トンネルまたはサービスフロー識別子に対応する転送ポリシーを含み得る。
【０１７６】
場合により経路確立ユニット13は、
第1のサービスネットワーク要素に第1のセッション確立要求を送信し、第1のセッション確立要求が、第1の転送プレーンネットワーク要素のIPを運び、
第1の転送プレーンネットワーク要素に第2のセッション確立要求を送信し、第2のセッション確立要求が、第1のサービスネットワーク要素のIPを運ぶ、
ように構成される。
【０１７７】
サービスパケット転送経路がサービスフロー識別子に対応する転送トンネルである場合、転送トンネルを確立するプロセスは、以下のとおりである：経路確立ユニット13は、第1のセッション確立要求を第1のサービスネットワーク要素に送信し、第1のセッション確立要求が第1の転送プレーンネットワーク要素のIPを運び、第2のセッション要求を第1の転送プレーンネットワーク要素に送信し、第2のセッション要求が第1のサービスネットワーク要素のIPを運ぶことができ、その結果、第1の転送プレーンネットワーク要素と第1のサービスネットワーク要素とは互いにIPを把握し、したがって、IP in IPトンネルを確立する。サービスネットワーク要素のIPは、第1の転送プレーンネットワーク要素とサービスネットワーク要素との間のIP in IPトンネルのサービスネットワーク要素側のトンネルエンドポイントを識別するために使用される。場合により、第1のセッション確立要求はサービスフロー識別子をさらに運ぶ。場合により、第2のセッション確立要求はサービスフロー識別子をさらに運ぶ。サービスフロー識別子は、ユーザ端末のIP、ユーザ端末のポート番号、サーバのIP、またはサーバのポート番号のうちの少なくとも1つである。
【０１７８】
トンネルは、IP in IPトンネルに加えて、GTPトンネルまたはGREトンネルであってもよいため、トンネルがGTPトンネルである場合、第1のサービスネットワーク要素と第1の転送プレーンネットワーク要素との間にトンネルを確立するプロセスは、以下のとおりである：経路確立ユニット13は、第1のセッション確立要求を第1のサービスネットワーク要素に送信し、第1のセッション確立要求が第1の転送プレーンネットワーク要素のIPおよび第1の転送プレーンネットワーク要素のTEIDを運び、第1のサービスネットワーク要素は、第1のセッション応答メッセージを制御プレーンネットワーク要素に送信し、第1のセッション応答メッセージが第1のサービスネットワーク要素のエンドポイント識別子を運び、経路確立ユニット13は、第2のセッション確立要求を第1の転送プレーンネットワーク要素に送信し、第2のセッション応答メッセージが第1のサービスネットワーク要素のIPと第1のサービスネットワーク要素のトンネルエンドポイント識別子TEIDとを運ぶ。
【０１７９】
場合により、経路確立ユニット13は、
第1のサービスネットワーク要素に、サービスフロー識別子を運ぶ転送ポリシーを配信し、その結果、第1のサービスネットワーク要素が、転送ポリシーに基づいて、サービスフロー識別子に対応するサービスパケットを転送する、および／または
第1の転送プレーンネットワーク要素に、サービスフロー識別子を運ぶ転送ポリシーを配信し、その結果、第1の転送プレーンネットワーク要素が、転送ポリシーに基づいて、サービスフロー識別子に対応するサービスパケットを転送する、
ように特に構成される。
【０１８０】
具体的には、第1のサービスネットワーク要素と第1の転送プレーンネットワーク要素との間の転送経路は、サービスフロー識別子に対応する転送ポリシーなどの他の方式で、例えば転送ポリシーに基づくマルチホップ転送方式またはサービスチェイニング方式でさらに実装することができる。第1のサービスネットワーク要素と第1の転送プレーンネットワーク要素との間の転送経路が、サービスフロー識別子に対応する転送ポリシーによって実装される場合、第1のサービスネットワーク要素と第1の転送プレーンネットワーク要素との間に転送経路を確立するプロセスは、以下のとおりである：経路確立ユニット13は、サービスフロー識別子を運ぶ転送ポリシーを第1の転送プレーンネットワーク要素に配信することができ、その結果、第1のサービスネットワーク要素は、転送ポリシーに基づいて、サービスフロー識別子に対応するサービスパケットを転送し、経路確立ユニット13は、サービスフロー識別子を運ぶ転送ポリシーを第1のサービスネットワーク要素に配信することができ、その結果、第1の転送プレーンネットワーク要素が、転送ポリシーに基づいて、サービスフロー識別子に対応するサービスパケットを転送することができる、または経路確立ユニット13は、第1の転送プレーンネットワーク要素と第1のサービスネットワーク要素との間の各転送ノードに転送ポリシーをさらに配信することができ、その結果、各転送ノードが、転送ポリシーに基づいて、サービスフロー識別子に対応するサービスパケットを転送することができる。経路確立ユニット13は、上記の転送経路確立プロセスのうちの少なくとも1つを実行することができ、第1のサービスネットワーク要素、第2の転送プレーンネットワーク要素、および各転送ノードに送信される転送ポリシーは、同じであってもよいし、異なるものであってもよい。
【０１８１】
場合により、制御プレーンまたは転送ポリシーコントローラは、第1の転送プレーンネットワーク要素および／または第1のサービスネットワーク要素に対する転送ポリシーを事前構成方式で構成することができる。さらに場合により、転送ポリシーは、第1の転送プレーンネットワーク要素と第1のサービスネットワーク要素との間の各転送ノードに対して事前構成方式で構成される。転送ポリシーは、次の情報、すなわち、サービスフロー識別子とパケット転送アクションとを含むことができる。サービスフロー識別子は、ユーザ端末のIP、サーバのIP、ユーザ端末のポート番号、またはサーバのポート番号のうちの少なくとも1つを含む。パケット転送アクションは、特定のポートまたは特定のリンクを介してパケットを転送することである。
【０１８２】
第1の転送プレーンネットワーク要素と第1のサービスネットワーク要素との間のサービスパケット送信にSDNの解決策が使用される場合、経路確立ユニット13は、ユーザ端末のサービスパケットを送信するために、第1のサービスネットワーク要素とユーザ端末に転送サービスを提供する第1の転送プレーンネットワーク要素との間でサービスパケット転送経路を確立するように構成される。具体的には、制御プレーンネットワーク要素は、サービスフロー識別子に対応する転送ポリシーを第1の転送プレーンネットワーク要素に配信し、転送ポリシーは、第1の転送プレーンネットワーク要素と第1のサービスネットワーク要素との間にサービスパケット転送経路を確立するために使用され、サービスフロー識別子に対応する転送ポリシーは、OpenFlowプロトコルのフローテーブルの形式で送信することができ、制御プレーンネットワーク要素は、第1のセッション確立要求を第1のサービスネットワーク要素に配信し、第1のセッション確立要求は、第1の転送プレーンネットワーク要素のIPを運ぶ。
【０１８３】
場合により、制御プレーンネットワーク要素は、送信ユニット14と取得ユニット15とをさらに備える。
【０１８４】
送信ユニット14は、管理システムに識別要求を送信し、その結果、管理システムが第1の転送プレーンネットワーク要素のIPを運ぶ識別応答メッセージを返す、または管理システムが第1のサービスネットワーク要素のIPを運ぶ識別応答メッセージを返す、ように構成される。
【０１８５】
管理システムによって送信された識別応答メッセージを受信した場合、取得ユニット15は、識別応答メッセージから第1の転送プレーンネットワーク要素のIPを取得する、または識別応答メッセージから第1のサービスネットワーク要素のIPを取得する、ように構成される。
【０１８６】
場合により、送信ユニットは、管理システムに識別要求を送信し、識別要求は、サービスタイプを運ぶ、またはユーザ端末の現在の位置情報およびサービスタイプを運び、サービスタイプは、制御要求メッセージに基づいて判定される、または端末のサブスクリプション情報に基づいて制御プレーンネットワーク要素によって判定される。管理システムは、MANOシステム、MECシステム、またはサービス機能開示プラットフォームであってもよい。管理システムは、第1のサービスネットワーク要素のIPおよび／または第1の転送プレーンネットワーク要素のIPを運ぶ識別応答メッセージを制御プレーンネットワーク要素に送信する。識別要求を受信すると、ユーザ端末にサービスを提供するのに適切である第1の転送プレーンネットワーク要素および／または第1のサービスネットワーク要素が存在しないと管理システムが判定した場合、管理システムは、ユーザ端末の現在の位置情報およびサービスタイプに基づいて、ユーザ端末に近接する第1の転送プレーンネットワーク要素および／または第1のサービスネットワーク要素を配備する。
【０１８７】
場合により、制御要求は、ユーザ端末の現在の位置情報を運ぶことができる。判定ユニットは、ユーザ端末の現在の位置情報および事前構成情報に基づいて、第1のサービスネットワーク要素を判定し、第1のサービスネットワーク要素のIPを取得することができる、または判定ユニットは、ユーザ端末の現在の位置情報および事前構成情報に基づいて、第1の転送プレーンネットワーク要素を判定し、第1の転送プレーンネットワーク要素のIPを取得することができる。
【０１８８】
受信ユニット11は、ユーザ端末が第1の基地局から第2の基地局にハンドオーバされる場合に、ユーザ端末のハンドオーバ通知を受信するようにさらに構成される。
【０１８９】
経路確立ユニット13は、ユーザ端末のサービスパケットを送信するために、ハンドオーバ通知に基づいて、第2のサービスネットワーク要素と第2の転送プレーンネットワーク要素との間の新しいサービスパケット転送経路を確立し、第2のサービスネットワーク要素は、第2のサーバまたは第2のサーバのサービスアクセスネットワーク要素である、ようにさらに構成される。
【０１９０】
具体的には、ユーザ端末が第1の基地局から第2の基地局にハンドオーバされた場合、受信ユニット11は、ユーザ端末のハンドオーバ通知を受信し、経路確立ユニット13は、ユーザ端末のサービスパケットを送信するために、ハンドオーバ後にユーザ端末にサービスを提供する第2のサービスネットワーク要素とハンドオーバ後にユーザ端末に転送サービスを提供する第2の転送プレーンネットワーク要素との間に新しいサービスパケット転送経路を確立し、第2のサービスネットワーク要素が第2のサーバまたは第2のサーバのサービスアクセスネットワーク要素である。本発明の本実施形態では、ユーザ端末が移動している。ユーザ端末がある場所から別の場所に移動すると、ユーザ端末が通信可能に接続されている第1の基地局は、ユーザ端末によって定期的に送信された測定報告を受信し、測定報告に基づいて、ハンドオーバを実行する必要があるか否かを判定し、第2の基地局を判定する。第1の基地局は第2の基地局にハンドオーバ要求を送信し、その結果、第2の基地局は、ハンドオーバ確認応答メッセージを第1の基地局にフィードバックし、ハンドオーバ通知を制御プレーンネットワーク要素に送信する。制御プレーンネットワーク要素は、ユーザ端末のハンドオーバ通知を受信し、ユーザ端末のサービスパケットを送信するために、ハンドオーバ後にユーザ端末にサービスを提供する第2のサービスネットワーク要素とハンドオーバ後にユーザ端末に転送サービスを提供する第2の転送プレーンネットワーク要素との間に新しいサービスパケット転送経路を確立する。新しいサービスパケット転送経路を確立するプロセスおよび原理は、最初のサービスパケット転送経路を確立するプロセスおよび原理と同じである。説明のための例として、サービスフロー識別子に対応する転送トンネルを用いる。具体的なプロセスは以下のとおりである：管理システムがネットワークアーキテクチャ内に存在する場合、制御プレーンネットワーク要素は、ハンドオーバ通知メッセージを管理システムに送信し、管理システムは、ハンドオーバ通知メッセージに基づいて、ユーザ端末にサービスを提供するのに適切である第2のサービスネットワーク要素および／または第2の転送プレーンネットワーク要素がネットワークアーキテクチャ内に存在するか否かを判定し、第2のサービスネットワーク要素などのネットワーク要素のうちの1つまたは2つが存在しない場合、管理システムは、ユーザ端末の現在の位置情報に基づいて、近接する第2のサービスネットワーク要素を配備することができる。あるいは、制御プレーンネットワーク要素は、ユーザ端末の現在の位置情報および事前構成情報に基づいて、第2のサービスネットワーク要素および／または第2の転送プレーンネットワーク要素を判定し、次いで、制御プレーンネットワーク要素は、第2のサービスネットワーク要素に第1のセッション要求を送信し、第1のセッション要求は、第2の転送プレーンネットワーク要素のIPを運び、制御プレーンネットワーク要素は、第2のセッション要求を第2の転送プレーンネットワーク要素に送信し、第2のセッション要求が第2のセッションネットワーク要素のIPを運び、その結果、新しいサービスパケット転送トンネルを確立するために、第2の転送ネットワーク要��と第2のサービスネットワーク要素とが互いにIPを把握する。
【０１９１】
場合により、第1の基地局から第2の基地局へのハンドオーバ中に、サービスネットワーク要素が第1の転送プレーンネットワーク要素を介して第1の基地局にダウンリンクパケットを送信する場合、第1の基地局は、バッファリングのために第2の基地局にダウンリンクパケットを転送してもよい。ハンドオーバが完了した後、すなわち、第2の基地局とユーザ端末との間に通信接続が確立された後、第2の基地局は、バッファリングしたダウンリンクパケットをユーザ端末に送信する。
【０１９２】
場合により、第1の基地局から第2の基地局へのハンドオーバの後、かつ新しいサービスパケット転送経路、すなわち第2の転送プレーンネットワーク要素と第2のサービスネットワーク要素との間のサービスパケット転送経路の確立中に、ユーザ端末が、パケットロスを避けるために、アップリンクパケットを第2の基地局に送信する場合、第2の基地局は、アップリンクパケットをバッファリングし、新しいサービスパケット転送経路が確立されるまでアップリンクパケットを第2のサービスネットワーク要素に送信しない。
【０１９３】
送信ユニット14は、第1のサーバにコンテキスト転送要求を送信し、その結果、第1のサーバがユーザ端末に関連するサービスコンテキスト情報を第2のサーバに転送する、または管理システムを介して第1のサーバにコンテキスト転送要求を送信し、その結果、第1のサーバが、ユーザ端末に関連するサービスコンテキスト情報を第2のサーバに転送する、ようにさらに構成される。
【０１９４】
具体的には、ハンドオーバプロセスは、基地局間のハンドオーバと経路確立とを含み、サーバ間のコンテキスト転送をさらに含む。ユーザ端末が第1の基地局から第2の基地局にハンドオーバされると、送信ユニット14は、受信したハンドオーバ通知に基づいて、コンテキスト転送要求を第1のサーバに送信し、その結果、第1のサーバが、ユーザ端末に関連するサービスコンテキスト情報を第2のサーバに転送する。コンテキスト転送要求は、第2のサーバのIPを運び、第2のサーバのIPに加えて別のサービスフロー識別子をさらに運ぶことができる。ユーザ端末のための第1のサーバによるコンテキスト転送の仕方において、ユーザのサービスコンテキストは、MIHまたはRestfulなどのプロトコルを使用して第2のサーバに送信され得る。
【０１９５】
場合により、送信ユニット14は、第1のサーバ全体をターゲット位置に配備されたサーバに移送するために、仮想マシン移送またはDocker移送などの方式で置き換えることができる。この方式は、第1のサーバがハンドオーバされる単一のユーザまたは単一のユーザグループのみにサービスを提供し、送信ユニット14が、管理システムへの要求を開始し得るシナリオに適しており、要求が新しい配備場所の指示を運び、その結果、管理システムが仮想マシンまたはDockerの方式で第1のサーバを新しい場所に移送する。
【０１９６】
場合により、送信ユニット14は、第1のサーバによって送信されたコンテキスト転送確認応答メッセージを受信した場合、第1の転送プレーンネットワーク要素にセッション削除要求メッセージを送信し、その結果、第1の転送プレーンネットワーク要素が、セッション削除要求に基づいて、ユーザ端末に関連するサービスコンテキスト情報を削除する、ようにさらに構成される。
【０１９７】
具体的には、第1のサーバがコンテキスト転送を完了し、第1のサーバによって送信されたコンテキスト転送確認応答メッセージを受信した場合、送信ユニット14は、第1の転送プレーンネットワーク要素にセッション削除要求メッセージを送信する。第1の転送プレーンネットワーク要素は、セッション削除要求メッセージに基づいて、ベアラコンテキストなどのユーザ端末に関連するサービスコンテキスト情報を削除し、セッション削除応答メッセージを制御プレーンネットワーク要素に送信する。上記のプロセスにおけるコンテキスト転送確認応答メッセージは、管理システムによって転送されてもよい。場合により、第2の基地局が第1の基地局によって送信されたエンドパケットメッセージを受信した後、第2の基地局は、リソース解放メッセージを第1の基地局に送信し、パケットメッセージは、そのパケットが第1の基地局によって第2の基地局に送信された最後のパケットメッセージであることを示すために使用される、End markerデータパケットであり得る。リソース解放メッセージは、無線ベアラコンテキストなど、ユーザ端末に関連するリソースを解放するように第1の基地局をトリガするために使用される。
【０１９８】
場合により、SDNの解決策が第1の転送プレーンネットワーク要素と制御プレーンネットワーク要素との間で使用される場合、セッション削除要求は、第1の転送プレーンネットワーク要素と、第1の転送プレーンネットワーク要素上の第1のサービスネットワーク要素との間の転送経路を除去するために、OpenFlowプロトコルのフローテーブルの形式で配信され得る。
【０１９９】
上記からわかるように、本発明の本実施形態では、制御プレーンネットワーク要素は、ユーザ端末のサービスパケットを送信するために、ハンドオーバ後の第2のサービスネットワーク要素とハンドオーバ後の第2の転送プレーンネットワーク要素との間に新しいサービスパケット転送経路を確立する。これにより、ユーザ端末の移動プロセスにおけるIPセッションの連続性が確保され、移動後にユーザ端末の通信リンクが比較的長くなるという不都合が解消され、通信レイテンシが短縮される。制御プレーンネットワーク要素は、サービスコンテキスト情報を転送するために、第1のサーバにコンテキスト転送要求を送信し、それによって、ハンドオーバがロスレスであることを確保する。
【０２００】
図7は、本発明の一実施形態における制御プレーンネットワーク要素を示す。図7は、本発明の一実施形態による制御プレーンネットワーク要素1000の概略的な構成図である。図7に示すように、制御プレーンネットワーク要素は、少なくとも1つのプロセッサ1001、例えばCPUと、少なくとも1つのアンテナ1002と、メモリ1003と、少なくとも1つの通信バス1004と、対話インターフェース1005と、を備えることができる。通信バス1004は、コンポーネント間の接続および通信を実装するように構成される。アンテナ1002は、情報およびデータを送信および受信するように構成され得る。メモリ1003は、高速RAMメモリを含むことができる、または、不揮発性メモリ（non−volatile memory）、例えば少なくとも1つのディスク記憶装置をさらに含むことができる。メモリ1003は、場合により、プロセッサ1001から遠く離れたユーザ端末の少なくとも1つのメモリを含むことができる。一部の実装では、対話インターフェース1005は、情報を入力および出力するように構成されてもよく、ディスプレイとキーボードとを備えてもよい。
【０２０１】
具体的には、プロセッサ1001は、以下の動作、すなわち、
第1の基地局を介してネットワークにアクセスするユーザ端末に関連する制御要求を受信し、制御要求に基づいて、ユーザ端末にサービスを提供する第1のサービスネットワーク要素を判定する、ステップと、
制御プレーンネットワーク要素によって、ユーザ端末に転送サービスを提供する第1の転送プレーンネットワーク要素を判定するステップと、
制御プレーンネットワーク要素によって、ユーザ端末のサービスパケットを送信するために、第1のサービスネットワーク要素と第1の転送プレーンネットワーク要素との間にサービスパケット転送経路を確立するステップと、
を実行するために、メモリ1003に記憶されたプログラムを呼び出すように構成される。
【０２０２】
一実施形態では、第1のサービスネットワーク要素は、ユーザ端末にサービスを提供する第1のサーバまたは第1のサーバのサービスアクセスネットワーク要素である。
【０２０３】
一実施形態では、制御要求はアクセス要求またはサービス要求である。
【０２０４】
一実施形態では、サービスパケット転送経路は、サービスフロー識別子に対応する転送トンネルまたはサービスフロー識別子に対応する転送ポリシーを含む。
【０２０５】
一実施形態では、プロセッサ1001は、
制御プレーンネットワーク要素によって、第1のサービスネットワーク要素に第1のセッション確立要求を送信するステップであって、第1のセッション確立要求が、第1の転送プレーンネットワーク要素のIPを運ぶ、ステップと、
制御プレーンネットワーク要素によって、第1の転送プレーンネットワーク要素に第2のセッション確立要求を送信するステップであって、第2のセッション確立要求が、第1のサービスネットワーク要素のIPを運ぶ、ステップと、
を特に実行するために、メモリ1003に記憶されたプログラムを呼び出すように構成される。
【０２０６】
一実施形態では、第1のセッション確立要求はサービスフロー識別子をさらに運ぶ、および／または第2のセッション確立要求はサービスフロー識別子をさらに運ぶ。
【０２０７】
一実施形態では、プロセッサ1001は、
制御プレーンネットワーク要素によって、第1のサービスネットワーク要素に、サービスフロー識別子を運ぶ転送ポリシーを配信するステップであって、その結果、第1のサービスネットワーク要素が、転送ポリシーに基づいて、サービスフロー識別子に対応するサービスパケットを転送する、ステップ、および／または
制御プレーンネットワーク要素によって、第1の転送プレーンネットワーク要素に、サービスフロー識別子を運ぶ転送ポリシーを配信するステップであって、その結果、第1の転送プレーンネットワーク要素が、転送ポリシーに基づいて、サービスフロー識別子に対応するサービスパケットを転送する、ステップ
を実行するために、メモリ1003に記憶されたプログラムを呼び出すように構成される。
【０２０８】
一実施形態では、サービスフロー識別子は、ユーザ端末のIP、ユーザ端末のポート番号、サーバのIP、またはサーバのポート番号のうちの少なくとも1つである。
【０２０９】
一実施形態では、プロセッサ1001は、
制御プレーンネットワーク要素によって、管理システムに識別要求を送信するステップであって、その結果、管理システムが、第1の転送プレーンネットワーク要素のIPを運ぶ識別応答メッセージを返す、ステップと、
管理システムによって送信された識別応答メッセージを受信した場合、制御プレーンネットワーク要素によって、識別応答メッセージから第1の転送プレーンネットワーク要素のIPを取得するステップと、
をさらに実行するために、メモリ1003に記憶されたプログラムを呼び出すように構成される。
【０２１０】
一実施形態では、プロセッサ1001は、
制御プレーンネットワーク要素によって、管理システムに識別要求を送信するステップであって、その結果、管理システムが、第1のサービスネットワーク要素のIPを運ぶ識別応答メッセージを返す、ステップと、
管理システムによって送信された識別応答メッセージを受信した場合、制御プレーンネットワーク要素によって、識別応答メッセージから第1のサービスネットワーク要素のIPを取得するステップと、
をさらに実行するために、メモリ1003に記憶されたプログラムを呼び出すように構成される。
【０２１１】
一実施形態では、識別要求は、サービスタイプを運ぶ、またはユーザ端末の現在の位置情報およびサービスタイプを運び、第1の転送プレーンネットワーク要素および／または第1のサービスネットワーク要素は、識別要求に基づいて管理システムによって構成される。
【０２１２】
一実施形態では、制御要求は、ユーザ端末の現在の位置情報を運び、プロセッサ1001は、
制御プレーンネットワーク要素によって、ユーザ端末の現在の位置情報および事前構成情報に基づいて第1のサービスネットワーク要素を判定し、第1のサービスネットワーク要素のIPを取得する、ステップ
を実行するために、メモリ1003に記憶されたプログラムを呼び出すように構成される。
【０２１３】
一実施形態では、制御要求は、ユーザ端末の現在の位置情報を運び、プロセッサ1001は、
制御プレーンネットワーク要素によって、ユーザ端末の現在の位置情報および事前構成情報に基づいて第1の転送プレーンネットワーク要素を判定し、第1の転送プレーンネットワーク要素のIPを取得する、ステップ
を実行するために、メモリ1003に記憶されたプログラムを呼び出すように構成される。
【０２１４】
一実施形態では、プロセッサ1001は、
ユーザ端末が第1の基地局から第2の基地局へハンドオーバされた場合、制御プレーンネットワーク要素によって、ユーザ端末のハンドオーバ通知を受信するステップと、
制御プレーンネットワーク要素によって、ハンドオーバ通知に基づいて、ユーザ端末のサービスパケットを送信するために、第2のサービスネットワーク要素と第2の転送プレーンネットワーク要素との間に新しいサービスパケット転送経路を確立するステップであって、第2のサービスネットワーク要素は、第2のサーバまたは第2のサーバのサービスアクセスネットワーク要素である、ステップと、
をさらに実行するために、メモリ1003に記憶されたプログラムを呼び出すように構成される。
【０２１５】
一実施形態では、プロセッサ1001は、
制御プレーンネットワーク要素によって、第1のサーバにコンテキスト転送要求を送信するステップであって、その結果、第1のサーバが、ユーザ端末に関連するサービスコンテキスト情報を第2のサーバに転送する、ステップ、または
制御プレーンネットワーク要素によって、管理システムを介して第1のサーバにコンテキスト転送要求を送信するステップであって、その結果、第1のサーバが、ユーザ端末に関連するサービスコンテキスト情報を第2のサーバに転送する、ステップ
をさらに実行するために、メモリ1003に記憶されたプログラムを呼び出すように構成される。
【０２１６】
一実施形態では、プロセッサ1001は、
第1のサーバによって送信されたコンテキスト転送確認応答メッセージを受信した場合、制御プレーンネットワーク要素によって、第1の転送プレーンネットワーク要素にセッション削除要求メッセージを送信するステップであって、その結果、第1の転送プレーンネットワーク要素は、セッション削除要求に基づいて、ユーザ端末に関連するサービスコンテキスト情報を削除する、ステップ
をさらに実行するために、メモリ1003に記憶されたプログラムを呼び出すように構成される。
【０２１７】
上記からわかるように、本発明の本実施形態では、制御プレーンネットワーク要素は、ユーザ端末のサービスパケットを送信するために、ハンドオーバ後の第2のサービスネットワーク要素とハンドオーバ後の第2の転送プレーンネットワーク要素との間に新しいサービスパケット転送経路を確立する。これにより、ユーザ端末の移動プロセスにおけるIPセッションの連続性が確保され、移動後にユーザ端末の通信リンクが比較的長くなるという不都合が解消され、通信レイテンシが短縮される。制御プレーンネットワーク要素は、サービスコンテキスト情報を転送するために、第1のサーバにコンテキスト転送要求を送信し、それによって、ハンドオーバがロスレスであることを確保する。
【０２１８】
図8は、本発明の一実施形態による第1のサービスネットワーク要素の概略的なモジュール図である。図8に示すように、第1のサービスネットワーク要素は、経路確立ユニット21と送信ユニット22とを備えることができる。
【０２１９】
経路確立ユニット21は、第1のサービスネットワーク要素とユーザ端末に転送サービスを提供するための第1の転送プレーンネットワーク要素との間にサービスパケット転送経路を確立するように構成される。
【０２２０】
送信ユニット22は、サービスパケット転送経路を介してユーザ端末のサービスパケットを送信し、第1の転送プレーンネットワーク要素は、ユーザ端末に関連する受信された制御要求に基づいて制御プレーンネットワーク要素によって判定される、ように構成される。
【０２２１】
場合により、第1のサービスネットワーク要素は、ユーザ端末にサービスを提供する第1のサーバまたは第1のサーバのサービスアクセスネットワーク要素である。
【０２２２】
場合により、サービスパケット転送経路は、サービスフロー識別子に対応する転送トンネルまたはサービスフロー識別子に対応する転送ポリシーを含む。
【０２２３】
場合により、経路確立ユニットは、
制御プレーンネットワーク要素によって送信された第1のセッション確立要求を受信し、
第1のサービスネットワーク要素とユーザ端末に転送サービスを提供する第1の転送プレーンネットワーク要素との間にサービスパケット転送トンネルを確立し、
第1のセッション確立要求は、第1の転送プレーンネットワーク要素のIPを運ぶ
ように構成される。
【０２２４】
場合により、第1のセッション確立要求がサービスフロー識別子を運び、送信ユニット22が、サービスフロー識別子に対応する転送トンネルを介して、サービスフロー識別子に対応するサービスパケットを転送するように構成される。
【０２２５】
場合により、経路確立ユニットは、
サービスフロー識別子を運ぶ、制御プレーンネットワーク要素によって配信される転送ポリシーを受信し、
転送ポリシーに基づいて、サービスフロー識別子に対応するサービスパケットを転送する、
ようにさらに構成される。
【０２２６】
場合により、第1のサービスネットワーク要素は、識別要求に基づいて管理システムによって構成され、識別要求は、制御プレーンネットワーク要素によって管理システムに送信される。
【０２２７】
場合により、第1のサービスネットワーク要素は、制御プレーンネットワーク要素によって、受信した制御要求におけるユーザ端末の現在の位置情報および事前構成情報に基づいて、判定される。
【０２２８】
場合により、第1のサービスネットワーク要素は、転送ユニット23をさらに備え、
受信ユニットは、制御プレーンネットワーク要素または管理システムを介して制御プレーンネットワーク要素によって送信されたコンテキスト転送要求を受信するようにさらに構成され、
転送ユニットは、ユーザ端末に関連するサービスコンテキスト情報を第2のサーバに転送するようにさらに構成される。
【０２２９】
場合により、送信ユニット22は、第1のサーバによって、制御プレーンネットワーク要素にコンテキスト転送確認応答メッセージを送信し、その結果、制御プレーンネットワーク要素は、第1の転送プレーンネットワーク要素にセッション削除要求メッセージを送信し、第1の転送プレーンネットワーク要素は、セッション削除要求に基づいて、ユーザ端末に関連するサービスコンテキスト情報を削除する、ようにさらに構成される。
【０２３０】
場合により、第1のサービスネットワーク要素は、関係確立ユニット24をさらに備え、関係確立ユニット24は、第1のサービスネットワーク要素によって、サービスフロー識別子と転送経路との間に対応関係を確立するように構成される。
【０２３１】
場合により、受信ユニット22は、
サービスフロー識別子を運ぶサービスパケットを受信し、
サービスフロー識別子と転送経路との対応関係に基づいて、サービスフロー識別子に対応する転送経路を判定し、
サービスフロー識別子に対応する転送経路を介してサービスパケットを転送する
ように構成される。
【０２３２】
上記の各ユニットに関する詳細な説明については、図2〜図5の各方法実施形態の詳細な説明を参照されたい。
【０２３３】
上述のように、本発明の本実施形態では、ユーザ端末のサービスパケットを送信するために、第1のサービスネットワーク要素と第1の転送プレーンネットワーク要素との間にサービスパケット転送経路が確立され、サービスコンテキスト情報は、コンテキスト転送要求に基づいて転送され、それによって、ハンドオーバがロスレスであることが確保される。
【０２３４】
図9は、本発明の一実施形態による第1のサービスネットワーク要素2000の概略的な構成図である。図9に示すように、第1のサービスネットワーク要素は、少なくとも1つのプロセッサ2001、例えばCPUと、少なくとも1つのアンテナ2002と、メモリ2003と、少なくとも1つの通信バス2004と、対話インターフェース2005と、を備えることができる。通信バス2004は、コンポーネント間の接続および通信を実装するように構成される。アンテナ2002は、情報およびデータを送信および受信するように構成され得る。メモリ2003は、高速RAMメモリを含むことができる、または、不揮発性メモリ（non−volatile memory）、例えば少なくとも1つのディスク記憶装置をさらに含むことができる。メモリ2003は、場合により、プロセッサ2001から遠く離れたユーザ端末の少なくとも1つのメモリを含むことができる。一部の実装では、対話インターフェース2005は、情報を入力および出力するように構成されてもよく、ディスプレイとキーボードとを備えてもよい。
【０２３５】
具体的には、プロセッサ21001は、以下の動作、すなわち、
制御プレーンネットワーク要素を介して、第1のサービスネットワーク要素とユーザ端末に転送サービスを提供する第1の転送プレーンネットワーク要素との間にサービスパケット転送経路を確立するステップと、
サービスパケット転送経路を介してユーザ端末のサービスパケットを送信するステップであって、
第1の転送プレーンネットワーク要素は、ユーザ端末に関連する受信された制御要求に基づいて、制御プレーンネットワーク要素によって判定される、ステップ
を実行するために、メモリ2003に記憶されたプログラムを呼び出すように構成される。
【０２３６】
一実施形態では、第1のサービスネットワーク要素は、ユーザ端末にサービスを提供する第1のサーバまたは第1のサーバのサービスアクセスネットワーク要素である。
【０２３７】
一実施形態では、サービスパケット転送経路は、サービスフロー識別子に対応する転送トンネルまたはサービスフロー識別子に対応する転送ポリシーを含む。
【０２３８】
一実施形態では、プロセッサ21001は、
制御プレーンネットワーク要素によって送信された第1のセッション確立要求を受信し、第1のサービスネットワーク要素とユーザ端末に転送サービスを提供する第1の転送プレーンネットワーク要素との間にサービスパケット転送トンネルを確立する、ステップであって、
第1のセッション確立要求は、第1の転送プレーンネットワーク要素のIPを運ぶ、ステップ
を特に実行するために、メモリ2003に記憶されたプログラムを呼び出すように構成される。
【０２３９】
一実施形態では、第1のセッション確立要求は、サービスフロー識別子を運び、プロセッサ21001は、
サービスフロー識別子に対応する転送トンネルを介して、サービスフロー識別子に対応するサービスパケットを転送するステップ
を特に実行するために、メモリ2003に記憶されたプログラムを呼び出すように構成される。
【０２４０】
一実施形態では、第1のセッション確立要求は、サービスフロー識別子を運び、プロセッサ21001は、
サービスフロー識別子を運ぶ、制御プレーンネットワーク要素によって配信される転送ポリシーを受信するステップと、
第1のサービスネットワーク要素によって、転送ポリシーに基づいて、サービスフロー識別子に対応するサービスパケットを転送するステップと、
を特に実行するために、メモリ2003に記憶されたプログラムを呼び出すように構成される。
【０２４１】
一実施形態では、第1のサービスネットワーク要素は、識別要求に基づいて管理システムによって構成され、識別要求は、制御プレーンネットワーク要素によって管理システムに送信される。
【０２４２】
一実施形態では、第1のサービスネットワーク要素は、制御プレーンネットワーク要素によって、受信した制御要求におけるユーザ端末の現在の位置情報および事前構成情報に基づいて、判定される。
【０２４３】
一実施形態では、プロセッサ21001は、
制御プレーンネットワーク要素または管理システムを介して制御プレーンネットワーク要素によって送信されたコンテキスト転送要求を受信するステップと、
ユーザ端末に関連するサービスコンテキスト情報を第2のサーバに転送するステップと、
をさらに実行するために、メモリ2003に記憶されたプログラムを呼び出すように構成される。
【０２４４】
一実施形態では、プロセッサ21001は、
制御プレーンネットワーク要素にコンテキスト転送確認応答メッセージを送信するステップであって、その結果、制御プレーンネットワーク要素は、第1の転送プレーンネットワーク要素にセッション削除要求メッセージを送信し、第1の転送プレーンネットワーク要素は、セッション削除要求に基づいて、ユーザ端末に関連するサービスコンテキスト情報を削除する、ステップ
をさらに実行するために、メモリ2003に記憶されたプログラムを呼び出すように構成される。
【０２４５】
一実施形態では、プロセッサ21001は、
サービスフロー識別子と転送経路との間に対応関係を確立するステップ
をさらに実行するために、メモリ2003に記憶されたプログラムを呼び出すように構成され、
プロセッサ21001は、
第1のサービスネットワーク要素によって、サービスフロー識別子を運ぶサービスパケットを受信するステップと、
第1のサービスネットワーク要素によって、サービスフロー識別子と転送経路との間の対応関係に基づいて、サービスフロー識別子に対応する転送経路を判定するステップと、
第1のサービスネットワーク要素によって、サービスフロー識別子に対応する転送経路を介してサービスパケットを転送するステップと、
を特に実行するために、メモリ2003に記憶されたプログラムを呼び出すように構成される。
【０２４６】
上記の各内容に関する詳細な説明については、図2〜図5の各方法実施形態の詳細な説明を参照されたい。
【０２４７】
上述のように、本発明の本実施形態では、ユーザ端末のサービスパケットを送信するために、第1のサービスネットワーク要素と第1の転送プレーンネットワーク要素との間にサービスパケット転送経路が確立され、サービスコンテキスト情報は、コンテキスト転送要求に基づいて転送され、それによって、ハンドオーバがロスレスであることが確保される。
【０２４８】
図10は、本発明の一実施形態による第1の転送プレーンネットワーク要素の概略的なモジュール図である。図10に示すように、第1の転送プレーンネットワーク要素は、経路確立ユニット31と送信ユニット32とを備えることができる。
【０２４９】
経路確立ユニット31は、第1の転送プレーンネットワーク要素とユーザ端末にサービスを提供する第1のサービスネットワーク要素との間にサービスパケット転送経路を確立するように構成される。
【０２５０】
送信ユニット32は、サービスパケット転送経路を介してユーザ端末のサービスパケットを送信し、第1の転送プレーンネットワーク要素は、ユーザ端末に関連する受信された制御要求に基づいて制御プレーンネットワーク要素によって判定される、ように構成される。
【０２５１】
場合により、サービスパケット転送経路は、サービスフロー識別子に対応する転送トンネルまたはサービスフロー識別子に対応する転送ポリシーを含む。
【０２５２】
場合により、経路確立ユニット31は、
制御プレーンネットワーク要素によって送信された第2のセッション確立要求を受信し、
第1の転送プレーンネットワーク要素とユーザ端末にサービスを提供する第1のサービスネットワーク要素との間のサービスフロー識別子に対応する転送トンネルを確立し、
第2のセッション確立要求は、第1のサービスネットワーク要素のIPを運ぶ
ように構成される。
【０２５３】
場合により、第2のセッション確立要求がサービスフロー識別子をさらに運び、送信ユニット32が、サービスフロー識別子に対応する転送トンネルを介して、サービスフロー識別子に対応するサービスパケットを転送するように構成される。
【０２５４】
場合により、経路確立ユニット31は、
サービスフロー識別子を運ぶ、制御プレーンネットワーク要素によって配信される転送ポリシーを受信し、
転送ポリシーに基づいて、サービスフロー識別子に対応するサービスパケットを転送する
ようにさらに構成される。
【０２５５】
場合により、第1の転送プレーンネットワーク要素は、関係確立ユニット33をさらに備え、
関係確立ユニット33は、第1の転送プレーンネットワーク要素によって、サービスフロー識別子と転送経路との間に対応関係を確立するように構成される。
【０２５６】
場合により、送信ユニット32は、
サービスフロー識別子を運ぶサービスパケットを受信し、
サービスフロー識別子とサービスフロー識別子に対応する転送経路との対応関係に基づいて、サービスフロー識別子に対応する転送経路を判定し、
サービスフロー識別子に対応する転送経路を介してサービスパケットを転送する
ように構成される。
【０２５７】
場合により、第1の転送プレーンネットワーク要素は、識別要求に基づいて管理システムによって構成され、識別要求は、制御プレーンネットワーク要素によって管理システムに送信される。
【０２５８】
場合により、第1の転送プレーンネットワーク要素は、制御プレーンネットワーク要素によって、受信した制御要求におけるユーザ端末の現在の位置情報および事前構成情報に基づいて、判定される。
【０２５９】
上記の各内容に関する詳細な説明については、図2〜図5の各方法実施形態の詳細な説明を参照されたい。
【０２６０】
上記からわかるように、本発明の本実施形態では、ユーザ端末のサービスパケットを送信するために、第1の転送プレーンネットワーク要素と第1のサービスネットワーク要素との間にサービスパケット転送経路が確立され、それによって、エンドツーエンドのサービスパケットルーティングメカニズムを提供する。
【０２６１】
図11は、本発明の一実施形態による第1の転送プレーンネットワーク要素3000の概略的な構成図である。図11に示すように、第1のサービスネットワーク要素は、少なくとも1つのプロセッサ3001、例えばCPUと、少なくとも1つのアンテナ3002と、メモリ3003と、少なくとも1つの通信バス3004と、対話インターフェース3005と、を備えることができる。通信バス3004は、コンポーネント間の接続および通信を実装するように構成される。アンテナ3002は、情報およびデータを送信および受信するように構成され得る。メモリ3003は、高速RAMメモリを含むことができる、または、不揮発性メモリ（non−volatile memory）、例えば少なくとも1つのディスク記憶装置をさらに含むことができる。メモリ3003は、場合により、プロセッサ3001から遠く離れたユーザ端末の少なくとも1つのメモリを含むことができる。一部の実装では、対話インターフェース3005は、情報を入力および出力するように構成されてもよく、ディスプレイとキーボードとを備えてもよい。
【０２６２】
具体的には、プロセッサ31001は、以下の動作、すなわち、
制御プレーンネットワーク要素を介して、第1の転送プレーンネットワーク要素とユーザ端末にサービスを提供する第1のサービスネットワーク要素との間にサービスパケット転送経路を確立するステップと、
サービスパケット転送経路を介してユーザ端末のサービスパケットを送信するステップであって、第1の転送プレーンネットワーク要素は、ユーザ端末に関連する受信された制御要求に基づいて、制御プレーンネットワーク要素によって判定される、ステップ
を実行するために、メモリ3003に記憶されたプログラムを呼び出すように構成される。
【０２６３】
一実施形態では、サービスパケット転送経路は、サービスフロー識別子に対応する転送トンネルまたはサービスフロー識別子に対応する転送ポリシーを含む。
【０２６４】
一実施形態では、プロセッサ31001は、
制御プレーンネットワーク要素によって送信された第2のセッション確立要求を受信し、第1の転送プレーンネットワーク要素とユーザ端末にサービスを提供する第1のサービスネットワーク要素との間にサービスフロー識別子に対応する転送トンネルを確立する、ステップであって、
第2のセッション確立要求は、第1のサービスネットワーク要素のIPを運ぶ、ステップ
を特に実行するために、メモリ3003に格納されたプログラムを呼び出すように構成される。
【０２６５】
一実施形態では、プロセッサ31001は、
サービスフロー識別子に対応する転送トンネルを介して、サービスフロー識別子に対応するサービスパケットを転送するステップ
をさらに実行するために、メモリ3003に記憶されたプログラムを呼び出すように構成される。
【０２６６】
一実施形態では、プロセッサ31001は、
サービスフロー識別子を運ぶ、制御プレーンネットワーク要素によって配信される転送ポリシーを受信するステップと、
転送ポリシーに基づいて、サービスフロー識別子に対応するサービスパケットを転送するステップと、
を特に実行するために、メモリ3003に記憶されたプログラムを呼び出すように構成される。
【０２６７】
一実施形態では、プロセッサ31001は、
サービスフロー識別子と転送経路との間に対応関係を確立するステップ
をさらに実行するために、メモリ3003に記憶されたプログラムを呼び出すように構成される。
【０２６８】
一実施形態では、プロセッサ31001は、
サービスフロー識別子を運ぶサービスパケットを受信するステップと、
サービスフロー識別子とサービスフロー識別子に対応する転送経路との対応関係に基づいて、サービスフロー識別子に対応する転送経路を判定するステップと、
サービスフロー識別子に対応する転送経路を介してサービスパケットを転送するステップと、
を特に実行するために、メモリ3003に記憶されたプログラムを呼び出すように構成される。
【０２６９】
一実施形態では、第1の転送プレーンネットワーク要素は、識別要求に基づいて管理システムによって構成され、識別要求は、制御プレーンネットワーク要素によって管理システムに送信される。
【０２７０】
一実施形態では、第1の転送プレーンネットワーク要素は、制御プレーンネットワーク要素によって、受信した制御要求におけるユーザ端末の現在の位置情報および事前構成情報に基づいて、判定される。
【０２７１】
上記の各内容に関する詳細な説明については、図2〜図5の各方法実施形態の詳細な説明を参照されたい。
【０２７２】
上記からわかるように、本発明の本実施形態では、ユーザ端末のサービスパケットを送信するために、第1の転送プレーンネットワーク要素と第1のサービスネットワーク要素との間にサービスパケット転送経路が確立され、それによって、エンドツーエンドのサービスパケットルーティングメカニズムを提供する。
【０２７３】
さらに図1を参照すると、制御システムは、以下のネットワーク要素、すなわち、ユーザ端末UEと、第1の基地局BS1と、第2の基地局BS2と、第1の転送プレーンネットワーク要素と、第2の転送プレーンネットワーク要素と、制御プレーンネットワーク要素と、管理システムと、第1のサービスネットワーク要素と、第2のサービスネットワーク要素と、を主に備える。
【０２７４】
ユーザ端末UEは、第1の基地局BS1を介して制御プレーンネットワーク要素に、ネットワークにアクセスするユーザ端末に関連する制御要求を送信する。
【０２７５】
制御プレーンネットワーク要素は、第1の基地局を介してネットワークにアクセスするユーザ端末に関連する制御要求を受信し、制御要求に基づいて、ユーザ端末にサービスを提供する第1のサービスネットワーク要素を判定する。
【０２７６】
制御プレーンネットワーク要素は、ユーザ端末に転送サービスを提供する第1の転送プレーンネットワーク要素を判定する。
【０２７７】
制御プレーンネットワーク要素は、ユーザ端末のサービスパケットを送信するために、第1のサービスネットワーク要素と第1の転送プレーンネットワーク要素との間にサービスパケット転送経路を確立する。
【０２７８】
一実施形態では、第1のサービスネットワーク要素は、ユーザ端末にサービスを提供する第1のサーバまたは第1のサーバのサービスアクセスネットワーク要素である。
【０２７９】
一実施形態では、制御要求はアクセス要求またはサービス要求である。
【０２８０】
一実施形態では、サービスパケット転送経路は、サービスフロー識別子に対応する転送トンネルまたはサービスフロー識別子に対応する転送ポリシーを含む。
【０２８１】
一実施形態では、制御プレーンネットワーク要素は、第1のセッション確立要求を第1のサービスネットワーク要素に送信し、第1のセッション確立要求が第1の転送プレーンネットワーク要素のIPを運び、
第1のサービスネットワーク要素は、制御プレーンネットワーク要素によって送信された第1のセッション確立要求を受信し、第1のサービスネットワーク要素と、ユーザ端末に転送サービスを提供する第1の転送プレーンネットワーク要素との間にサービスパケット転送トンネルを確立する。
【０２８２】
一実施形態では、制御プレーンネットワーク要素は、第2のセッション確立要求を第1の転送プレーンネットワーク要素に送信し、第2のセッション確立要求は第1のサービスネットワーク要素のIPを運び、
第1の転送プレーンネットワーク要素は、制御プレーンネットワーク要素によって送信された第2のセッション確立要求を受信し、第1の転送プレーンネットワーク要素とユーザ端末にサービスを提供する第1のサービスネットワーク要素との間にサービスフロー識別子に対応する転送トンネルを確立する。
【０２８３】
一実施形態では、第1のセッション確立要求はサービスフロー識別子をさらに運び、第1のサービスネットワーク要素は、サービスフロー識別子に対応する転送トンネルを介して、サービスフロー識別子に対応するサービスパケットを転送する、および／または第2のセッション確立要求はサービスフロー識別子をさらに運び、第1の転送プレーンネットワーク要素は、サービスフロー識別子に対応する転送トンネルを介して、サービスフロー識別子に対応するサービスパケットを転送する。
【０２８４】
一実施形態では、制御プレーンネットワーク要素は、サービスフロー識別子を運ぶ転送ポリシーを第1のサービスネットワーク要素に配信し、第1のサービスネットワーク要素は、サービスフロー識別子を運ぶ、制御プレーンネットワーク要素によって配信された制御ポリシーを受信し、転送ポリシーに基づいて、サービスフロー識別子に対応するサービスパケットを転送する、および／または
制御プレーンネットワーク要素は、サービスフロー識別子を運ぶ転送ポリシーを第1の転送プレーンネットワーク要素に配信し、第1の転送プレーンネットワーク要素は、サービスフロー識別子を運ぶ、制御フローネットワーク要素によって配信された転送ポリシーを受信し、転送ポリシーに基づいて、サービスフロー識別子に対応するサービスパケットを転送する。
【０２８５】
一実施形態では、サービスフロー識別子は、ユーザ端末のIP、ユーザ端末のポート番号、サーバのIP、またはサーバのポート番号のうちの少なくとも1つである。
【０２８６】
一実施形態では、制御プレーンネットワーク要素は、管理システムに識別要求を送信し、
管理システムが、第1の転送プレーンネットワーク要素のIPを運ぶ識別応答メッセージを返し、
管理システムによって送信された識別応答メッセージを受信した場合、制御プレーンネットワーク要素は、識別応答メッセージから第1の転送プレーンネットワーク要素のIPを取得する。
【０２８７】
一実施形態では、制御プレーンネットワーク要素は、管理システムに識別要求を送信し、
管理システムが、識別要求に基づいて第1のサービスネットワーク要素を構成し、第1のサービスネットワーク要素のIPを運ぶ識別応答メッセージを返し、
管理システムによって送信された識別応答メッセージを受信した場合、制御プレーンネットワーク要素は、識別応答メッセージから第1のサービスネットワーク要素のIPを取得する。
【０２８８】
一実施形態では、識別要求は、サービスタイプを運ぶ、またはユーザ端末の現在の位置情報およびサービスタイプを運び、第1の転送プレーンネットワーク要素および／または第1のサービスネットワーク要素は、識別要求に基づいて管理システムによって構成される。
【０２８９】
一実施形態では、制御要求は、ユーザ端末の現在の位置情報を運び、制御プレーンネットワーク要素は、ユーザ端末の現在の位置情報および事前構成情報に基づいて第1のサービスネットワーク要素を判定し、第1のサービスネットワーク要素のIPを取得する。
【０２９０】
一実施形態では、制御要求は、ユーザ端末の現在の位置情報を運び、制御プレーンネットワーク要素は、ユーザ端末の現在の位置情報および事前構成情報に基づいて第1の転送プレーンネットワーク要素を判定し、第1の転送プレーンネットワーク要素のIPを取得する。
【０２９１】
一実施形態では、ユーザ端末UEが第1の基地局BS1から第2の基地局BS2へハンドオーバされ、制御プレーンネットワーク要素は、ユーザ端末のハンドオーバ通知を受信し、
制御プレーンネットワーク要素は、ハンドオーバ通知に基づいて、ユーザ端末のサービスパケットを送信するために、第2のサービスネットワーク要素と第2の転送プレーンネットワーク要素との間に新しいサービスパケット転送経路を確立し、第2のサービスネットワーク要素は、第2のサーバまたは第2のサーバのサービスアクセスネットワーク要素である。
【０２９２】
一実施形態では、制御プレーンネットワーク要素は、コンテキスト転送要求を第1のサーバに送信し、第1のサーバは、制御プレーンネットワーク要素によってまたは管理システムを介して制御プレーンネットワーク要素によって送信されたコンテキスト転送要求を受信し、ユーザ端末に関連するサービスコンテキスト情報を第2のサーバに転送する、または
制御プレーンネットワーク要素は、管理システムを介して第1のサーバにコンテキスト転送要求を送信し、その結果、第1のサーバは、ユーザ端末に関連するサービスコンテキスト情報を第2のサーバに転送する。
【０２９３】
一実施形態では、第1のサーバは、コンテキスト転送確認応答メッセージを制御プレーンネットワーク要素に送信し、
制御プレーンネットワーク要素は、第1のサーバによって送信されたコンテキスト転送確認応答メッセージを受信し、
制御プレーンネットワーク要素は、セッション削除要求メッセージを第1の転送プレーンネットワーク要素に送信し、
第1の転送プレーンネットワーク要素は、セッション削除要求に基づいて、ユーザ端末に関連するサービスコンテキスト情報を削除する。
【０２９４】
一実施形態では、第1のサービスネットワーク要素は、サービスフロー識別子と転送経路との間に対応関係を確立し、
第1のサービスネットワーク要素は、サービスフロー識別子を運ぶサービスパケットを受信し、
第1のサービスネットワーク要素は、サービスフロー識別子と転送経路との間の対応関係に基づいて、サービスフロー識別子に対応する転送経路を判定し、
第1のサービスネットワーク要素は、サービスフロー識別子に対応する転送経路を介してサービスパケットを転送する。
【０２９５】
一実施形態では、第1の転送プレーンネットワーク要素は、サービスフロー識別子と転送経路との間に対応関係を確立し、
第1の転送プレーンネットワーク要素は、サービスフロー識別子を運ぶサービスパケットを受信し、
第1の転送プレーンネットワーク要素は、サービスフロー識別子と、サービスフロー識別子に対応する転送経路との対応関係に基づいて、サービスフロー識別子に対応する転送経路を判定し、
第1の転送プレーンネットワーク要素は、サービスフロー識別子に対応する転送経路を介してサービスパケットを転送する。
【０２９６】
上記の各内容に関する詳細な説明については、図2〜図5の各方法実施形態の詳細な説明を参照されたい。
【０２９７】
上記からわかるように、本発明の本実施形態では、ユーザ端末のサービスパケットを送信するために、第1の転送プレーンネットワーク要素と第1のサービスネットワーク要素との間にサービスパケット転送経路が確立され、それによって、エンドツーエンドのサービスパケットルーティングメカニズムを提供する。
【０２９８】
本発明の一実施形態は、1つ以上のプログラムを記憶するコンピュータ可読記憶媒体をさらに提供し、1つ以上のプログラムは命令を含み、命令がアンテナおよび複数のアプリケーションを備える制御プレーンネットワーク要素によって実行される場合、制御プレーンネットワーク要素が図2から図5の方法を実行することを可能にするために命令が使用される。
【０２９９】
説明を簡潔にするために、上記の方法の実施形態は、一連の動作として表されていることに留意されたい。しかしながら、本発明によればいくつかのステップは他の順番で、または同時に実行され得ることから、本発明は記述された動作の順番に限定されないことを、当業者には理解されたい。加えて、本明細書に記載されたすべての実施形態は一例としての実施形態であることと、関連する動作およびモジュールは必ずしも本発明にとって必須のものではないことと、も当業者には理解されたい。
【０３００】
上記の実施形態では、各実施形態の説明には、それぞれの重点がある。一実施形態において詳細に記載されていない部分については、他の実施形態における関連説明を参照されたい。
【０３０１】
本発明の実施形態における方法のステップを、実際の要件に応じて調整、組み合わせ、または削除することもできる。
【０３０２】
本発明の実施形態における装置におけるユニットを、実際の要件に応じて調整、組み合わせ、または削除することもできる。当業者は、本明細書に記載された異なる実施形態および異なる実施形態の特徴を一体化または組み合わせることができる。
【０３０３】
上記の実施形態の説明により、当業者であれば、本発明がハードウェア、ファームウェア、またはそれらの組み合わせによって実施されてもよいことは明確に理解されよう。本発明がソフトウェアによって実施される場合、上記の機能は、コンピュータ可読媒体に格納されてもよいし、コンピュータ可読媒体内の1つ以上の命令またはコードとして送信されてもよい。コンピュータ可読媒体としては、コンピュータ記憶媒体および通信媒体が挙げられ、通信媒体は、コンピュータプログラムをある場所から別の場所に送信することを可能にする任意の媒体を含む。記憶媒体は、コンピュータにアクセス可能な任意の利用可能な媒体であり得る。以下は一例として使用されるものであるが、限定されるものではない：コンピュータ可読媒体としては、ランダムアクセスメモリ（Random Access Memory、RAM）、読み出し専用メモリ（Read−Only Memory、ROM）、電気的に消去可能なプログラマブル読み取り専用メモリ（Electrically Erasable Programmable Read−Only Memory、EEPROM）、コンパクトディスク読み出し専用メモリ（Compact Disc Read−Only Memory、CD−ROM）もしくは他の光ディスク記憶装置、ディスク記憶媒体もしくは他のディスク記憶装置、または所期のプログラムコードをコマンドまたはデータ構造の形態で運ぶ、もしくは記憶するために使用でき、かつコンピュータによってアクセスできる任意の他の媒体が挙げられる。加えて、任意の接続部は、コンピュータ可読媒体として適切に定義することができる。例えば、ウェブサイト、サーバまたは別のリモートソースから、同軸ケーブル、光ファイバ／ケーブル、ツイストペア、デジタル加入者回線（Digital Subscriber Line，DSL）または赤外線、電波およびマイクロ波などの無線技術を使用して、ソフトウェアを伝送する場合、同軸ケーブル、光ファイバ／ケーブル、ツイストペア、DSLまたは赤外線、電波およびマイクロ波などの無線技術は、それらが属する媒体の定義に含まれる。例えば、本発明により用いられるディスク（Disk）およびディスク（disc）は、コンパクトディスク（CD）、レーザディスク、光ディスク、デジタル多用途ディスク（DVD）、フロッピーディスク、およびBlu−ray（登録商標）ディスクを含み、ディスク（disk）は、一般的に、磁気的手段によりデータを複製し、ディスク（disc）は、レーザ手段によりデータを光学的に複製する。上記の組み合わせも、コンピュータ可読媒体の保護範囲に含まれるべきである。
【０３０４】
まとめると、上で説明したことは、本発明の技術的解決策の単なる実施形態の例であるが、本発明の保護範囲を限定することを意図するものではない。本発明の趣旨および原理から逸脱することなくなされる、あらゆる修正、均等な置き換え、または改良は、本発明の保護範囲内に含まれるものとする。
【符号の説明】
【０３０５】
11  受信ユニット
12  判定ユニット
13  経路確立ユニット
14  送信ユニット
15  取得ユニット
21  経路確立ユニット
22  送信ユニット
23  転送ユニット
24  関係確立ユニット
31  経路確立ユニット
32  送信ユニット
33  関係確立ユニット
1000  制御プレーンネットワーク要素
1001  プロセッサ
1002  アンテナ
1003  メモリ
1004  通信バス
1005  対話インターフェース
2000  第1のサービスネットワーク要素
2001  プロセッサ
2002  アンテナ
2003  メモリ
2004  通信バス
2005  対話インターフェース
3000  第1の転送プレーンネットワーク要素
3001  プロセッサ
3002  アンテナ
3003  メモリ
3004  通信バス
3005  対話インターフェース
【図１】
2019521588.tif 000003
【図２】
2019521588.tif 000004
【図３】
2019521588.tif 000005
【図４】
2019521588.tif 000006
【図５】
2019521588.tif 000007
【図６】
2019521588.tif 000008
【図７】
2019521588.tif 000009
【図８】
2019521588.tif 000010
【図９】
2019521588.tif 000011
【図１０】
2019521588.tif 000012
【図１１】
2019521588.tif 000013
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
制御プレーンネットワーク要素によって、第1の基地局を介してネットワークにアクセスするユーザ端末に関連する制御要求を受信し、前記制御要求に基づいて、前記ユーザ端末にサービスを提供する第1のサービスネットワーク要素を判定する、ステップと、
前記制御プレーンネットワーク要素によって、前記ユーザ端末に転送サービスを提供する第1の転送プレーンネットワーク要素を判定するステップと、
前記制御プレーンネットワーク要素によって、前記ユーザ端末のサービスパケットを送信するために、前記第1のサービスネットワーク要素と前記第1の転送プレーンネットワーク要素との間にサービスパケット転送経路を確立するステップと、
を含む、通信制御方法。
【請求項２】
前記第1のサービスネットワーク要素は、前記ユーザ端末にサービスを提供する第1のサーバまたは第1のサーバのサービスアクセスネットワーク要素である、請求項1に記載の方法。
【請求項３】
前記制御要求は、アクセス要求またはサービス要求である、請求項1または2に記載の方法。
【請求項４】
前記サービスパケット転送経路は、サービスフロー識別子に対応する転送トンネルまたはサービスフロー識別子に対応する転送ポリシーを含む、請求項1から3のいずれか一項に記載の方法。
【請求項５】
前記制御プレーンネットワーク要素によって、前記第1のサービスネットワーク要素と前記第1の転送プレーンネットワーク要素との間に前記サービスフロー識別子に対応する前記転送トンネルを確立するステップは、
前記制御プレーンネットワーク要素によって、前記第1のサービスネットワーク要素に第1のセッション確立要求を送信するステップであって、前記第1のセッション確立要求が、前記第1の転送プレーンネットワーク要素のIPアドレスを運ぶ、ステップと、
前記制御プレーンネットワーク要素によって、前記第1の転送プレーンネットワーク要素に第2のセッション確立要求を送信するステップであって、前記第2のセッション確立要求が、前記第1のサービスネットワーク要素のIPアドレスを運ぶ、ステップと、
を含む、請求項4に記載の方法。
【請求項６】
前記第1のセッション確立要求は前記サービスフロー識別子をさらに運ぶ、および／または前記第2のセッション確立要求は前記サービスフロー識別子をさらに運ぶ、請求項5に記載の方法。
【請求項７】
前記制御プレーンネットワーク要素によって、前記第1のサービスネットワーク要素と前記第1の転送プレーンネットワーク要素との間に前記サービスフロー識別子に対応する前記転送ポリシーを確立するステップは、
前記制御プレーンネットワーク要素によって前記第1のサービスネットワーク要素に、前記サービスフロー識別子を運ぶ前記転送ポリシーを配信するステップであって、その結果、前記第1のサービスネットワーク要素が、前記転送ポリシーに基づいて、前記サービスフロー識別子に対応する前記サービスパケットを転送する、ステップ、および／または
前記制御プレーンネットワーク要素によって、前記第1の転送プレーンネットワーク要素に、前記サービスフロー識別子を運ぶ前記転送ポリシーを配信するステップであって、その結果、前記第1の転送プレーンネットワーク要素が、前記転送ポリシーに基づいて、前記サービスフロー識別子に対応する前記サービスパケットを転送する、ステップ
を含む、請求項4に記載の方法。
【請求項８】
前記サービスフロー識別子は、前記ユーザ端末のIPアドレス、前記ユーザ端末のポート番号、前記サーバのIPアドレス、または前記サーバのポート番号のうちの少なくとも1つである、請求項4から7のいずれか一項に記載の方法。
【請求項９】
前記制御プレーンネットワーク要素によって、前記第1のサービスネットワーク要素と前記第1の転送プレーンネットワーク要素との間に前記サービスフロー識別子に対応する前記転送トンネルを確立するステップの前に、前記方法は、
前記制御プレーンネットワーク要素によって、管理システムに識別要求を送信するステップであって、その結果、前記管理システムが、前記第1の転送プレーンネットワーク要素のIPアドレスを運ぶ識別応答メッセージを返す、ステップと、
前記管理システムによって送信された前記識別応答メッセージを受信した場合、前記制御プレーンネットワーク要素によって、前記識別応答メッセージから前記第1の転送プレーンネットワーク要素の前記IPアドレスを取得するステップと、
をさらに含む、請求項4に記載の方法。
【請求項１０】
前記制御プレーンネットワーク要素によって、前記第1のサービスネットワーク要素と前記第1の転送プレーンネットワーク要素との間に前記サービスフロー識別子に対応する前記転送トンネルを確立するステップの前に、前記方法は、
前記制御プレーンネットワーク要素によって、管理システムに識別要求を送信するステップであって、その結果、前記管理システムが、前記第1のサービスネットワーク要素のIPアドレスを運ぶ識別応答メッセージを返す、ステップと、
前記管理システムによって送信された前記識別応答メッセージを受信した場合、前記制御プレーンネットワーク要素によって、前記識別応答メッセージから前記第1のサービスネットワーク要素の前記IPアドレスを取得するステップと、
をさらに含む、請求項4に記載の方法。
【請求項１１】
前記識別要求は、サービスタイプを運ぶ、または前記ユーザ端末の現在の位置情報およびサービスタイプを運び、前記第1の転送プレーンネットワーク要素および／または前記第1のサービスネットワーク要素は、前記識別要求に基づいて前記管理システムによって構成される、請求項9または10に記載の方法。
【請求項１２】
前記制御要求は、前記ユーザ端末の現在の位置情報を運び、
前記制御プレーンネットワーク要素によって、前記制御要求に基づいて、前記ユーザ端末にサービスを提供する第1のサービスネットワーク要素を判定する前記ステップは、
前記制御プレーンネットワーク要素によって、前記ユーザ端末の前記現在の位置情報および事前構成情報に基づいて、前記第1のサービスネットワーク要素を判定し、前記第1のサービスネットワーク要素のIPアドレスを取得する、ステップ
を含む、請求項1に記載の方法。
【請求項１３】
前記制御要求は、前記ユーザ端末の現在の位置情報を運び、
前記制御プレーンネットワーク要素によって、前記ユーザ端末に転送サービスを提供する第1の転送プレーンネットワーク要素を判定する前記ステップは、
前記制御プレーンネットワーク要素によって、前記ユーザ端末の前記現在の位置情報および事前構成情報に基づいて、前記第1の転送プレーンネットワーク要素を判定し、前記第1の転送プレーンネットワーク要素のIPアドレスを取得する、ステップ
を含む、請求項1に記載の方法。
【請求項１４】
前記制御プレーンネットワーク要素によって、前記第1のサービスネットワーク要素と前記第1の転送プレーンネットワーク要素との間にサービスパケット転送経路を確立する前記ステップの後、前記方法は、
前記ユーザ端末が前記第1の基地局から第2の基地局へハンドオーバされた場合、前記制御プレーンネットワーク要素によって、前記ユーザ端末のハンドオーバ通知を受信するステップと、
前記制御プレーンネットワーク要素によって、前記ハンドオーバ通知に基づいて、前記ユーザ端末のサービスパケットを送信するために、第2のサービスネットワーク要素と第2の転送プレーンネットワーク要素との間に新しいサービスパケット転送経路を確立するステップであって、前記第2のサービスネットワーク要素は、第2のサーバまたは第2のサーバのサービスアクセスネットワーク要素である、ステップと、
をさらに含む、請求項1から13のいずれか一項に記載の方法。
【請求項１５】
前記制御プレーンネットワーク要素によって、前記ユーザ端末のハンドオーバ通知を受信する前記ステップの後、前記方法は、
前記制御プレーンネットワーク要素によって、前記第1のサーバにコンテキスト転送要求を送信するステップであって、その結果、前記第1のサーバが、前記ユーザ端末に関連するサービスコンテキスト情報を前記第2のサーバに転送する、ステップ、または
前記制御プレーンネットワーク要素によって、前記管理システムを介して前記第1のサーバにコンテキスト転送要求を送信するステップであって、その結果、前記第1のサーバが、前記ユーザ端末に関連するサービスコンテキスト情報を前記第2のサーバに転送する、ステップ
をさらに含む、請求項14に記載の方法。
【請求項１６】
前記制御プレーンネットワーク要素によって、コンテキスト転送要求を前記第1のサーバに送信する前記ステップの後、前記方法は、
前記第1のサーバによって送信されたコンテキスト転送確認応答メッセージを受信した場合、前記制御プレーンネットワーク要素によって、前記第1の転送プレーンネットワーク要素にセッション削除要求メッセージを送信するステップであって、その結果、前記第1の転送プレーンネットワーク要素が、前記セッション削除要求メッセージに基づいて、前記ユーザ端末に関連する前記サービスコンテキスト情報を削除する、ステップ
をさらに含む、請求項15に記載の方法。
【請求項１７】
制御プレーンネットワーク要素を介して、第1のサービスネットワーク要素によって、前記第1のサービスネットワーク要素とユーザ端末に転送サービスを提供する第1の転送プレーンネットワーク要素との間にサービスパケット転送経路を確立するステップと、
前記第1のサービスネットワーク要素によって、前記サービスパケット転送経路を介して前記ユーザ端末のサービスパケットを送信するステップと、
を含み、
前記第1の転送プレーンネットワーク要素は、前記ユーザ端末に関連する受信された制御要求に基づいて、前記制御プレーンネットワーク要素によって判定される、通信制御方法。
【請求項１８】
前記サービスパケット転送経路は、サービスフロー識別子に対応する転送トンネルまたはサービスフロー識別子に対応する転送ポリシーを含む、請求項17に記載の方法。
【請求項１９】
前記方法は、
前記第1のサービスネットワーク要素によって、前記サービスフロー識別子と前記転送経路との間に対応関係を確立するステップ
をさらに含み、
前記第1のサービスネットワーク要素によって、前記サービスパケット転送経路を介して前記ユーザ端末のサービスパケットを送信するステップは、
前記第1のサービスネットワーク要素によって、前記サービスフロー識別子を運ぶ前記サービスパケットを受信するステップと、
前記第1のサービスネットワーク要素によって、前記サービスフロー識別子と前記転送経路との間の前記対応関係に基づいて、前記サービスフロー識別子に対応する前記転送経路を判定するステップと、
前記第1のサービスネットワーク要素によって、前記サービスフロー識別子に対応する前記転送経路を介して前記サービスパケットを転送するステップと、
を含む、請求項18に記載の方法。
【請求項２０】
制御プレーンネットワーク要素を介して、第1の転送プレーンネットワーク要素によって、前記第1の転送プレーンネットワーク要素とユーザ端末にサービスを提供する第1のサービスネットワーク要素との間にサービスパケット転送経路を確立するステップと、
前記第1の転送プレーンネットワーク要素によって、前記サービスパケット転送経路を介して前記ユーザ端末のサービスパケットを送信するステップであって、前記第1の転送プレーンネットワーク要素は、前記ユーザ端末に関連する受信された制御要求に基づいて、前記制御プレーンネットワーク要素によって判定される、ステップと、
を含む、通信制御方法。
【請求項２１】
第1の基地局を介してネットワークにアクセスするユーザ端末に関連する制御要求を受信するように構成される受信ユニットと、
前記制御要求に基づいて、前記ユーザ端末にサービスを提供する第1のサービスネットワーク要素を判定するように構成される判定ユニットであって、
前記判定ユニットは、前記ユーザ端末に転送サービスを提供する第1の転送プレーンネットワーク要素を判定するようにさらに構成される、判定ユニットと、
前記ユーザ端末のサービスパケットを送信するために、前記第1のサービスネットワーク要素と前記第1の転送プレーンネットワーク要素との間にサービスパケット転送経路を確立するように構成される経路確立ユニットと、
を備える、制御プレーンネットワーク要素。
【請求項２２】
前記受信ユニットは、前記ユーザ端末が前記第1の基地局から第2の基地局にハンドオーバされた場合、前記ユーザ端末のハンドオーバ通知を受信するようにさらに構成され、
前記経路確立ユニットは、前記ハンドオーバ通知に基づいて、前記ユーザ端末のサービスパケットを送信するために、第2のサービスネットワーク要素と第2の転送プレーンネットワーク要素との間に新しいサービスパケット転送経路を確立するようにさらに構成され、前記第2のサービスネットワーク要素は、第2のサーバまたは第2のサーバのサービスアクセスネットワーク要素である、請求項21に記載の制御プレーンネットワーク要素。
【請求項２３】
前記送信ユニットは、前記第1のサーバにコンテキスト転送要求を送信し、その結果、前記第1のサーバが、前記ユーザ端末に関連するサービスコンテキスト情報を前記第2のサーバに転送する、ようにさらに構成される、または
前記送信ユニットは、前記管理システムを介して前記第1のサーバにコンテキスト転送要求を送信し、その結果、前記第1のサーバが、前記ユーザ端末に関連するサービスコンテキスト情報を前記第2のサーバに転送する、ようにさらに構成される、請求項22に記載の制御プレーンネットワーク要素。
【請求項２４】
第1のサービスネットワーク要素であって、
前記第1のサービスネットワーク要素とユーザ端末に転送サービスを提供する第1の転送プレーンネットワーク要素との間にサービスパケット転送経路を確立するように構成される経路確立ユニットと、
前記サービスパケット転送経路を介して前記ユーザ端末のサービスパケットを送信するように構成される送信ユニットと、
を備え、
前記第1の転送プレーンネットワーク要素は、前記ユーザ端末に関連する受信された制御要求に基づいて、制御プレーンネットワーク要素によって判定される、第1のサービスネットワーク要素。
【請求項２５】
前記第1のサービスネットワーク要素は、転送ユニットをさらに備え、
前記受信ユニットは、前記制御プレーンネットワーク要素または管理システムを介して前記制御プレーンネットワーク要素によって送信されたコンテキスト転送要求を受信するように構成され、
前記転送ユニットは、前記ユーザ端末に関連するサービスコンテキスト情報を第2のサーバに転送するように構成される、請求項24に記載の第1のサービスネットワーク要素。
【請求項２６】
第1の転送プレーンネットワーク要素であって、
前記第1の転送プレーンネットワーク要素とユーザ端末にサービスを提供する第1のサービスネットワーク要素との間にサービスパケット転送経路を確立するように構成される経路確立ユニットと、
前記サービス転送経路を介して前記ユーザ端末のサービスパケットを送信し、前記第1の転送プレーンネットワーク要素は、前記ユーザ端末に関連する受信された制御要求に基づいて、制御プレーンネットワーク要素によって判定される、ように構成される送信ユニットと、
を備える、第1の転送プレーンネットワーク要素。
【国際調査報告】
2019521588.tif 000014
2019521588.tif 000015
2019521588.tif 000016
2019521588.tif 000017